(57)【要約】  ランダムアクセス方法及びシステムであって、前記方法は第2ノードが第1ノードへランダムアクセスシグナリングを送信することと、前記第1ノードが前記第2ノードへランダムアクセス応答メッセージを返信し、その中に前記第2ノードのランダムアクセス応答情報が含まれることと、を含む。【選択図】図1
2016518083.tif 000002
【特許請求の範囲】
【請求項１】
第2ノードが第1ノードへランダムアクセスシグナリングを送信することと、
前記第1ノードが前記第2ノードへランダムアクセス応答メッセージを返信し、その中に前記第2ノードのランダムアクセス応答情報が含まれることと、を含むランダムアクセス方法。
【請求項２】
前記ランダムアクセス応答情報には前記第1ノードが前記第2ノードのために配分したアップリンクリソースの位置情報が含まれる請求項1に記載の方法。
【請求項３】
前記第2ノードが前記ランダムアクセス応答メッセージを受信した後、前記第1ノードが前記第2ノードのために配分したアップリンクリソースの位置情報に基づいて、対応するアップリンクリソースで衝突検出メッセージを送信することを更に含む請求項2に記載の方法。
【請求項４】
前記第1ノードは前記第2ノードが送信した前記衝突検出メッセージを受信した後、前記第2ノードへ衝突検出応答メッセージを送信することを更に含む請求項3に記載の方法。
【請求項５】
前記ランダムアクセスシグナリングは前記第2ノードが選択されたランダムアクセス情報によりプリセット規則に従って生成したものであり、
前記ランダムアクセス情報は、
前記第2ノードが選択したランダムアクセスシーケンスのタイプ、
前記第2ノードが選択したランダムアクセスシーケンスの索引情報、及び
前記ランダムアクセスシーケンスの繰り返して送信する必要がある回数の情報、のうちの少なくとも1つを含む請求項1に記載の方法。
【請求項６】
前記第2ノードが前記ランダムアクセスシーケンスの繰り返して送信する必要がある回数を確定することは、
前記第2ノードは前記第1ノードが送信したダウンリンク基準信号の信号品質を測定し、且つ前記ダウンリンク基準信号の信号品質と予定閾値とを比較し、前記ランダムアクセスシーケンスの繰り返して送信する必要がある回数を確定することを含む請求項5に記載の方法。
【請求項７】
前記予定閾値は1つ以上の値を含み、
各値と1つのランダムアクセスシーケンスの繰り返して送信する必要がある回数とは1対1マッピングの関係がある請求項6に記載の方法。
【請求項８】
前記第2ノードが前記ランダムアクセスシーケンスの繰り返して送信する必要がある回数を確定することは、
前記第2ノードは前記第1ノードが送信したダウンリンク基準信号の信号品質を測定し、且つ前記ダウンリンク基準信号の信号品質と予定閾値とを比較し、前記ランダムアクセスシーケンスが繰り返して送信する必要があるかどうかを確定することを含む請求項5に記載の方法。
【請求項９】
前記第2ノードは前記ランダムアクセスシーケンスが繰り返して送信する必要があることを確定すると、前記ランダムアクセスシーケンスの繰り返して送信する必要がある回数は前記第2ノードにより設定されるか又は標準設定を採用する請求項8に記載の方法。
【請求項１０】
前記予定閾値は標準によりデフォルトに設定されて且つ前記第2ノードに記憶され、又は前記予定閾値は標準によりデフォルトに設定されて且つ前記第1ノードに記憶され、前記第1ノードにより前記第2ノードに送信する請求項6、7又は8に記載の方法。
【請求項１１】
前記ダウンリンク基準信号は、セクタ専用の基準信号、マスタ同期信号及びサブ同期信号、のうちの少なくとも1つである請求項6、7又は8に記載の方法。
【請求項１２】
前記信号品質情報は、基準信号受信パワー、基準信号受信品質、受信信号強度指示、前記第2ノードと前記第1ノードとの間のパスロス値及び前記ダウンリンク基準信号の信号対雑音比、のうちの少なくとも1つである請求項6、7又は8に記載の方法。
【請求項１３】
前記ランダムアクセス応答メッセージにはメッセージヘッダとメッセージ負荷が含まれ、メッセージヘッダには1つ以上のメッセージサブヘッダが含まれ、
前記第2ノードが選択したランダムアクセスシーケンスの索引情報及び/又は前記第2ノードが選択したランダムアクセスシーケンスの繰り返し送信回数情報はメッセージサブヘッダで送信される請求項1又は2に記載の方法。 
【請求項１４】
少なくとも一部のメッセージサブヘッダにおいて、各メッセージサブヘッダと前記メッセージ負荷における1つの時間周波数リソースブロックとは1対1対応し、
前記ランダムアクセス応答情報に、前記第1ノードが前記第2ノードのために配分したアップリンクリソースの位置情報が含まれることは、
前記第2ノードが選択したランダムアクセスシーケンスの繰り返し送信回数情報及び/又は前記第2ノードが選択したランダムアクセスシーケンスの索引情報を含むメッセージサブヘッダの対応する時間周波数リソースブロックが、前記第1ノードが前記第2ノードのために配分したアップリンクリソースの位置情報を含むことを含む請求項13に記載の方法。
【請求項１５】
前記ランダムアクセス応答情報に、前記第1ノードが前記第2ノードのために配分したアップリンクリソースの位置情報が含まれることは、
前記第1ノードが前記第2ノードのために配分したアップリンクリソースの位置情報はメッセージ負荷に位置し、且つ前記メッセージ負荷での位置は前記第2ノードが選択したランダムアクセスシーケンスの索引情報及び/又は前記第2ノードが選択したランダムアクセスシーケンスの繰り返し送信回数情報を含むメッセージサブヘッダにより指示されることを含む請求項13に記載の方法。
【請求項１６】
前記第2ノードのランダムアクセス応答情報の、前記第1ノードが送信したランダムアクセス応答メッセージでの位置はダウンリンク制御情報又はシステム情報により前記第2ノードに送信される請求項1又は2に記載の方法。
【請求項１７】
前記ランダムアクセス応答メッセージの占有するリソースの位置情報は標準により予め設定され、前記第2ノードに記憶され、又は、
前記ランダムアクセス応答メッセージの占有するリソースの位置情報は前記第1ノードがダウンリンク制御情報又はシステム情報により前記第2ノードに送信する請求項1に記載の方法。
【請求項１８】
前記ダウンリンク制御情報は、Nビットの巡回冗長チェックコード（CRC）を更に含み、
Nが正整数であり、前記CRCはNビットのランダムアクセス無線ネットワーク一時識別子（RA-RNTI）を採用してスクランブリングする請求項17に記載の方法。
【請求項１９】
前記RA-RNTIは、
前記第2ノードが使用するランダムアクセスチャンネルのリソース情報、
前記第2ノードが前記ランダムアクセスチャンネルで前記第1ノードに送信したランダムアクセス情報、のうちの少なくとも1つで確定され、
前記第2ノードが使用するランダムアクセスチャンネルのリソース情報は、
前記第2ノードが使用するランダムアクセスチャンネルのリソース索引情報、
前記第2ノードが使用するランダムアクセスチャンネルの占有するフレームの索引情報、
前記第2ノードが使用するランダムアクセスチャンネルの占有するサブフレームの索引情報、
前記第2ノードが使用するランダムアクセスチャンネルの占有する周波数領域リソースの索引情報、及び
前記第2ノードが使用するランダムアクセスチャンネルの占有する物理リソースブロックの索引情報、のうちの少なくとも1つを含む請求項18に記載の方法。
【請求項２０】
前記ランダムアクセス応答メッセージの占有するリソースの位置情報は、前記ランダムアクセス応答メッセージの占有する時間周波数リソースブロックの索引情報及び/又は占有する時間領域リソース指示情報を含む請求項17に記載の方法。
【請求項２１】
前記占有する時間領域リソース指示情報は、前記ランダムアクセス応答メッセージの占有するフレーム及び/又はサブフレームの指示情報を含む請求項20に記載の方法。
【請求項２２】
前記第1ノードがダウンリンク制御情報又はシステム情報により前記第2ノードへ前記ランダムアクセス応答メッセージの繰り返して送信する必要がある回数の情報を送信することを更に含む請求項1に記載の方法。
【請求項２３】
前記ランダムアクセス応答メッセージの繰り返して送信する必要がある回数の情報は標準により設定され又は前記第2ノードが選択したランダムアクセス情報により確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項22に記載の方法。
【請求項２４】
前記ダウンリンク制御情報又はシステム情報は、前記ランダムアクセス応答メッセージのハイブリッド自動再送要求（HARQ）メカニズムイネーブルフラグを更に含み、
前記ランダムアクセス応答メッセージのHARQメカニズムイネーブルフラグの値は前記ランダムアクセス応答メッセージのHARQメカニズムがイネーブルであることを表す場合、前記ランダムアクセス応答メッセージがHARQメカニズムで伝送されるように前記第2ノードに指示し、及び
前記ランダムアクセス応答メッセージのHARQメカニズムイネーブルフラグの値は前記ランダムアクセス応答メッセージのHARQメカニズムがイネーブルでないことを表す場合、前記ランダムアクセス応答メッセージの採用する伝送方式が標準により設定されるように前記第2ノードに指示する請求項17、18又は19に記載の方法。
【請求項２５】
前記第2ノードが選択したランダムアクセスシーケンスの索引情報及び/又は前記第2ノードが選択したランダムアクセスシーケンスの繰り返し送信回数情報を含むメッセージサブヘッダに対してRA-RNTIを採用してスクランブリングし、スクランブリング方式は、
【数１】
2016518083.tif 000030
請求項14又は15に記載の方法。
【請求項２６】
前記RA-RNTIにおけるM個の情報ビットの選択は標準により設定される請求項25に記載の方法。
【請求項２７】
前記アップリンクリソースの位置情報は、前記アップリンクリソースの占有する時間周波数リソースブロックの索引情報及び/又は前記アップリンクリソースの占有する時間領域リソース指示情報を含む請求項2、3、14又は15に記載の方法。
【請求項２８】
前記アップリンクリソースの位置情報は標準により設定され又は前記第2ノードが選択したランダムアクセス情報により確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項27に記載の方法。
【請求項２９】
前記アップリンクリソースの占有する時間周波数リソースブロックの索引情報は前記アップリンクリソースのP個の時間周波数リソースブロックでの索引情報を指示することに用いられ、Pが正整数であり、前記Pの値及び時間周波数リソースブロックの大きさ及び位置分布は標準により設定され又は前記第2ノードが選択したランダムアクセス情報により確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項27に記載の方法。
【請求項３０】
前記アップリンクリソースの位置情報は、前記衝突検出情報の繰り返して送信する必要がある回数の情報を更に含む請求項27に記載の方法。
【請求項３１】
前記第1ノードがダウンリンク制御情報又はシステム情報により前記衝突検出応答メッセージの占有するリソース位置情報を前記第2ノードに送信し、前記リソース位置情報が、対応するリソース位置で前記衝突検出応答メッセージを受信するように前記第2ノードに指示することに用いられることを更に含む請求項3に記載の方法。
【請求項３２】
前記衝突検出応答メッセージの占有するリソース位置情報には占有する時間周波数リソースブロックの索引情報及び/又は占有する時間領域リソース指示情報が含まれる請求項3又は31に記載の方法。
【請求項３３】
前記時間領域リソース指示情報はフレーム及び/又はサブフレームの指示情報を含む請求項32に記載の方法。
【請求項３４】
前記衝突検出応答メッセージの繰り返して送信する必要がある回数の情報は標準により設定され又は前記第2ノードが選択したランダムアクセス情報により確定され、又は前記ダウンリンク制御情報又はシステム情報で送信され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項3又は31に記載の方法。
【請求項３５】
前記ダウンリンク制御情報又はシステム情報は、前記衝突検出応答メッセージのHARQメカニズムイネーブルフラグを更に含み、
前記ランダムアクセス応答メッセージのHARQメカニズムイネーブルフラグの値はランダムアクセス応答メッセージのHARQメカニズムがイネーブルであることを表す場合、前記衝突検出応答メッセージがHARQメカニズムで伝送されるように前記第2ノードに指示し、
前記ランダムアクセス応答メッセージのHARQメカニズムイネーブルフラグの値はランダムアクセス応答メッセージのHARQメカニズムがイネーブルでないことを表す場合、前記衝突検出応答メッセージの採用する伝送方式が標準により設定されるように前記第2ノードに指示する請求項31に記載の方法。
【請求項３６】
前記第2ノードが前記衝突検出応答メッセージを受信した後、前記第1ノードへ前記衝突検出応答メッセージの返答メッセージを返信し、前記返答メッセージが、前記第2ノードが成功に前記衝突検出応答メッセージを受信したかどうかを確認することに用いられることを更に含む請求項3、31、33又は35に記載の方法。
【請求項３７】
前記第2ノードが前記衝突検出応答メッセージの返答メッセージを送信するリソース位置は、
前記衝突検出応答メッセージに含まれた前記第1ノードが前記第2ノードのために配分した前記衝突検出応答メッセージの返答メッセージのリソース位置指示情報、
前記第2ノードが選択したランダムアクセス情報、
前記衝突検出応答メッセージの占有するリソース位置情報、のうちの少なくとも1つで確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項36に記載の方法。
【請求項３８】
前記第1ノードは、
マクロセル（Macrocell）、マイクロセル（Microcell）、ピコセル（Picocell）、フェムトセル（Femtocell）即ち家庭セル、低パワーノード（LPN）及びリレー（Relay）、のうちの少なくとも1つであり、
前記第2ノードは1つ以上の端末又は端末グループである請求項1〜9、14、15、17〜23、28〜31、33、35及び37のいずれか一項に記載の方法。
【請求項３９】
第1ノード及び第2ノードを含み、
前記第2ノードは、前記第1ノードへランダムアクセスシグナリングを送信するように設定され、
前記第1ノードは、前記第2ノードへランダムアクセス応答メッセージを返信し、その中に前記第2ノードのランダムアクセス応答情報が含まれるように設定されるランダムアクセスシステム。
【請求項４０】
前記ランダムアクセス応答情報には前記第1ノードが前記第2ノードのために配分したアップリンクリソースの位置情報が含まれる請求項39に記載のシステム。
【請求項４１】
前記第2ノードが前記ランダムアクセス応答メッセージを受信した後、前記第1ノードが前記第2ノードのために配分したアップリンクリソースの位置情報に基づいて、対応するアップリンクリソースで衝突検出メッセージを送信する請求項40に記載のシステム。
【請求項４２】
前記第1ノードは更に、前記第2ノードが送信した前記衝突検出メッセージを受信した後、前記第2ノードへ衝突検出応答メッセージを送信するように設定される請求項41に記載のシステム。
【請求項４３】
前記ランダムアクセスシグナリングは前記第2ノードが選択されたランダムアクセス情報によりプリセット規則に従って生成したものであり、
前記ランダムアクセス情報は、
前記第2ノードが選択したランダムアクセスシーケンスのタイプ、
前記第2ノードが選択したランダムアクセスシーケンスの索引情報、及び
前記ランダムアクセスシーケンスの繰り返して送信する必要がある回数の情報、のうちの少なくとも1つを含む請求項39に記載のシステム。
【請求項４４】
前記第2ノードは、
前記第2ノードが、前記第1ノードが送信したダウンリンク基準信号の信号品質を測定し、且つ前記ダウンリンク基準信号の信号品質と予定閾値とを比較し、前記ランダムアクセスシーケンスの繰り返して送信する必要がある回数を確定するように設定される、という方式により前記ランダムアクセスシーケンスの繰り返して送信する必要がある回数を確定する請求項43に記載のシステム。
【請求項４５】
前記予定閾値は1つ以上の値を含み、
各値と1つのランダムアクセスシーケンスの繰り返して送信する必要がある回数とは1対1マッピングの関係がある請求項44に記載のシステム。
【請求項４６】
前記第2ノードは、
前記第2ノードが、前記第1ノードが送信したダウンリンク基準信号の信号品質を測定し、且つ前記ダウンリンク基準信号の信号品質と予定閾値とを比較し、前記ランダムアクセスシーケンスが繰り返して送信する必要があるかどうかを確定するように設定される、という方式により前記ランダムアクセスシーケンスの繰り返して送信する必要がある回数を確定する請求項43に記載のシステム。
【請求項４７】
前記第2ノードは前記ランダムアクセスシーケンスが繰り返して送信する必要があることを確定すると、前記ランダムアクセスシーケンスの繰り返して送信する必要がある回数は前記第2ノードにより設定されるか又は標準により設定される請求項46に記載のシステム。
【請求項４８】
前記予定閾値は標準によりデフォルトに設定されて且つ前記第2ノードに記憶され、又は前記予定閾値は標準によりデフォルトに設定されて且つ前記第1ノードに記憶され、前記第1ノードにより前記第2ノードに送信される請求項44、45又は46に記載のシステム。
【請求項４９】
前記ダウンリンク基準信号は、セクタ専用の基準信号、マスタ同期信号及びサブ同期信号、のうちの少なくとも1つである請求項44、45又は46に記載のシステム。
【請求項５０】
前記信号品質情報は、基準信号受信パワー、基準信号受信品質、受信信号強度指示、前記第2ノードと前記第1ノードとの間のパスロス値及び前記ダウンリンク基準信号の信号対雑音比、のうちの少なくとも1つである請求項44、45又は46に記載のシステム。
【請求項５１】
前記ランダムアクセス応答メッセージにはメッセージヘッダとメッセージ負荷が含まれ、メッセージヘッダには1つ以上のメッセージサブヘッダが含まれ、
前記第2ノードが選択したランダムアクセスシーケンスの索引情報及び/又は前記第2ノードが選択したランダムアクセスシーケンスの繰り返し送信回数情報はメッセージサブヘッダで送信される請求項39又は40に記載のシステム。 
【請求項５２】
少なくとも一部のメッセージサブヘッダにおいて、各メッセージサブヘッダと前記メッセージ負荷における1つの時間周波数リソースブロックとは1対1対応し、
前記ランダムアクセス応答情報に、前記第1ノードが前記第2ノードのために配分したアップリンクリソースの位置情報が含まれることは、
前記第2ノードが選択したランダムアクセスシーケンスの繰り返し送信回数情報及び/又は前記第2ノードが選択したランダムアクセスシーケンスの索引情報を含むメッセージサブヘッダの対応する時間周波数リソースブロックが、前記第1ノードが前記第2ノードのために配分したアップリンクリソースの位置情報を含むことを含む請求項51に記載のシステム。
【請求項５３】
前記ランダムアクセス応答情報に、前記第1ノードが前記第2ノードのために配分したアップリンクリソースの位置情報が含まれることは、
前記第1ノードが前記第2ノードのために配分したアップリンクリソースの位置情報がメッセージ負荷に位置し、且つ前記メッセージ負荷での位置は前記第2ノードが選択したランダムアクセスシーケンスの索引情報及び/又は前記第2ノードが選択したランダムアクセスシーケンスの繰り返し送信回数情報を含むメッセージサブヘッダにより指示されることを含む請求項51に記載のシステム。
【請求項５４】
前記第2ノードのランダムアクセス応答情報の、前記第1ノードが送信したランダムアクセス応答メッセージでの位置はダウンリンク制御情報又はシステム情報により前記第2ノードに送信される請求項39又は40に記載のシステム。
【請求項５５】
前記ランダムアクセス応答メッセージの占有するリソースの位置情報は標準により予め設定され、前記第2ノードに記憶され、又は、
前記ランダムアクセス応答メッセージの占有するリソースの位置情報は前記第1ノードがダウンリンク制御情報又はシステム情報により前記第2ノードに送信する請求項39に記載のシステム。
【請求項５６】
前記ダウンリンク制御情報は、Nビットの巡回冗長チェックコード（CRC）を更に含み、
Nが正整数であり、前記CRCはNビットのランダムアクセス無線ネットワーク一時識別子（RA-RNTI）を採用してスクランブリングする請求項55に記載のシステム。
【請求項５７】
前記RA-RNTIは、
前記第2ノードが使用するランダムアクセスチャンネルのリソース情報、
前記第2ノードが前記ランダムアクセスチャンネルで前記第1ノードに送信したランダムアクセス情報、のうちの少なくとも1つで確定され、
前記第2ノードが使用するランダムアクセスチャンネルのリソース情報は、
前記第2ノードが使用するランダムアクセスチャンネルのリソース索引情報、
前記第2ノードが使用するランダムアクセスチャンネルの占有するフレームの索引情報、
前記第2ノードが使用するランダムアクセスチャンネルの占有するサブフレームの索引情報、
前記第2ノードが使用するランダムアクセスチャンネルの占有する周波数領域リソースの索引情報、及び
前記第2ノードが使用するランダムアクセスチャンネルの占有する物理リソースブロックの索引情報、のうちの少なくとも1つを含む請求項56に記載のシステム。
【請求項５８】
前記ランダムアクセス応答メッセージの占有するリソースの位置情報は、前記ランダムアクセス応答メッセージの占有する時間周波数リソースブロックの索引情報及び/又は占有する時間領域リソース指示情報を含む請求項55に記載のシステム。
【請求項５９】
前記占有する時間領域リソース指示情報は、前記ランダムアクセス応答メッセージの占有するフレーム及び/又はサブフレームの指示情報を含む請求項58に記載のシステム。
【請求項６０】
前記第1ノードは更に、ダウンリンク制御情報又はシステム情報により前記ランダムアクセス応答メッセージの繰り返して送信する必要がある回数の情報を前記第2ノードへ送信するように設定される請求項39に記載のシステム。
【請求項６１】
前記ランダムアクセス応答メッセージの繰り返して送信する必要がある回数の情報は標準により設定され又は前記第2ノードが選択したランダムアクセス情報により確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項60に記載のシステム。
【請求項６２】
前記ダウンリンク制御情報又はシステム情報は、前記ランダムアクセス応答メッセージのハイブリッド自動再送要求（HARQ）メカニズムイネーブルフラグを更に含み、
前記ランダムアクセス応答メッセージのHARQメカニズムイネーブルフラグの値は前記ランダムアクセス応答メッセージのHARQメカニズムがイネーブルであることを表す場合、前記ランダムアクセス応答メッセージがHARQメカニズムで伝送されるように前記第2ノードに指示し、
前記ランダムアクセス応答メッセージのHARQメカニズムイネーブルフラグの値は前記ランダムアクセス応答メッセージのHARQメカニズムがイネーブルでないことを表す場合、前記ランダムアクセス応答メッセージの採用する伝送方式が標準により設定されるように前記第2ノードに指示する請求項55、56又は57に記載のシステム。
【請求項６３】
前記第2ノードが選択したランダムアクセスシーケンスの索引情報及び/又は前記第2ノードが選択したランダムアクセスシーケンスの繰り返し送信回数情報を含むメッセージサブヘッダに対してRA-RNTIを採用してスクランブリングし、スクランブリング方式は、
【数２】
2016518083.tif 000031
請求項52又は53に記載のシステム。
【請求項６４】
前記RA-RNTIにおけるM個の情報ビットの選択は標準により設定される請求項63に記載のシステム。
【請求項６５】
前記アップリンクリソースの位置情報は、前記アップリンクリソースの占有する時間周波数リソースブロックの索引情報及び/又は前記アップリンクリソースの占有する時間領域リソース指示情報を含む請求項40、41、52又は53に記載のシステム。
【請求項６６】
前記アップリンクリソースの位置情報は標準により設定され又は前記第2ノードが選択したランダムアクセス情報により確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項65に記載のシステム。
【請求項６７】
前記アップリンクリソースの占有する時間周波数リソースブロックの索引情報は前記アップリンクリソースのP個の時間周波数リソースブロックでの索引情報を指示することに用いられ、Pが正整数であり、前記Pの値及び時間周波数リソースブロックの大きさ及び位置分布は標準により設定され又は前記第2ノードが選択したランダムアクセス情報により確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項65に記載のシステム。
【請求項６８】
前記アップリンクリソースの位置情報は、前記衝突検出情報の繰り返して送信する必要がある回数の情報を更に含む請求項65に記載のシステム。
【請求項６９】
前記第1ノードは更に、ダウンリンク制御情報又はシステム情報により前記衝突検出応答メッセージの占有するリソース位置情報を前記第2ノードに送信するように設定され、前記リソース位置情報は対応するリソース位置で前記衝突検出応答メッセージを受信するように前記第2ノードに指示することに用いられる請求項41に記載のシステム。
【請求項７０】
前記衝突検出応答メッセージの占有するリソース位置情報には占有する時間周波数リソースブロックの索引情報及び/又は占有する時間領域リソース指示情報が含まれる請求項41又は69に記載のシステム。
【請求項７１】
前記時間領域リソース指示情報はフレーム及び/又はサブフレームの指示情報を含む請求項70に記載のシステム。
【請求項７２】
前記衝突検出応答メッセージの繰り返して送信する必要がある回数の情報は標準により設定され又は前記第2ノードが選択したランダムアクセス情報により確定され、又は前記ダウンリンク制御情報又はシステム情報で送信され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項41又は69に記載のシステム。
【請求項７３】
前記ダウンリンク制御情報又はシステム情報は、前記衝突検出応答メッセージのHARQメカニズムイネーブルフラグを更に含み、
前記ランダムアクセス応答メッセージのHARQメカニズムイネーブルフラグの値はランダムアクセス応答メッセージのHARQメカニズムがイネーブルであることを表す場合、前記衝突検出応答メッセージがHARQメカニズムで伝送されるように前記第2ノードに指示し、
前記ランダムアクセス応答メッセージのHARQメカニズムイネーブルフラグの値はランダムアクセス応答メッセージのHARQメカニズムがイネーブルでないことを表す場合、前記衝突検出応答メッセージの採用する伝送方式が標準により設定されるように前記第2ノードに指示する請求項69に記載のシステム。
【請求項７４】
前記第2ノードは更に、前記衝突検出応答メッセージを受信した後、前記第1ノードへ前記衝突検出応答メッセージの返答メッセージを返信するように設定され、前記返答メッセージは前記第2ノードが成功に前記衝突検出応答メッセージを受信したかどうかを確定することに用いられる請求項41、69、71又は73に記載のシステム。
【請求項７５】
前記第2ノードが前記衝突検出応答メッセージの返答メッセージを送信するリソース位置は、
前記衝突検出応答メッセージに含まれた前記第1ノードが前記第2ノードのために配分した前記衝突検出応答メッセージの返答メッセージのリソース位置指示情報、
前記第2ノードが選択したランダムアクセス情報、
前記衝突検出応答メッセージの占有するリソース位置情報、のうちの少なくとも1つで確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項74に記載のシステム。
【請求項７６】
前記第1ノードは、
マクロセル（Macrocell）、マイクロセル（Microcell）、ピコセル（Picocell）、フェムトセル（Femtocell）即ち家庭セル、低パワーノード（LPN）及びリレー（Relay）、のうちの少なくとも1つであり、
前記第2ノードは1つ以上の端末又は端末グループである請求項39〜47、52、53、55〜61、66〜69、71、73及び75のいずれか一項に記載のシステム。
【発明の詳細な説明】
【技術分野】
【０００１】
本発明は、通信分野に関し、特にランダムアクセス方法及びシステムに関する。
【背景技術】
【０００２】
MTC（Machine Type Communication、マシンタイプ通信）ユーザ端末（MTC User Equipment、 MTC UEと称する）、即ちM2M（Machine to Machine、マシンからマシンまで， M2Mと称する）ユーザ通信装置は、現在のモノのインターネットの主な応用形式である。低消耗低コストはその大規模応用の重要な保障である。現在、市場で配布されたM2M装置は主にGSM（登録商標）（Global System of Mobile communication、グローバル移動体通信システム）システムに基づくものである。近年、LTE（Long Term Evolution、ロングタームエボリューション）/LTE-A（LTEの後続エボリューション）のスペクトル効率の向上により、ますます多くのモバイル事業者はLTE/LTE-Aを選択して将来のブロードバンド無線通信システムのエボリューション傾向とする。LTE/LTE-Aに基づくM2Mの多種のデータサービスも注目されている。LTE-M2M装置のコストがGSMシステムのMTC端末よりも低い場合しか、M2Mサービスは真実にGSMからLTEシステムに変換することができない。
【０００３】
現在、MTCユーザ端末コストを低減する主な選択方法は、端末受信アンテナの数の減少、端末ベースバンド処理帯域の低下、端末がサポートするピーク速度の低下、半二重モードの採用等を含む。しかし、コストの低減により性能も低下し、LTE/LTE-Aシステムのセルに対するカバレッジ需要を低減することができないので、低コストで設定されたMTC端末は幾つかの措置を採用しなければ関連LTE端末のカバレッジ性能に対する需要に達することができない。また、MTC端末は地下室、隅等の位置に位置する可能性があるので、位置するシーンが普通のLTE UEよりも悪い。透過損失によるカバレッジ低下を補足するために、一部のMTC UEがより高い性能向上を必要とし、このため、このようなシーンに対して一部のMTC UEのアップリンク及びダウンリンクカバレッジ強化を行うことは必要なものである。どのようにユーザのアクセス品質を保証するかは先に考える必要がある問題であり、LTE/LTE-Aシステムのランダムアクセスチャンネル（Physical Random Access Channel、PRACHと称する）に対して強化設計する必要があり、MTC UEが正常にシステムにアクセスできることを保証する。
【０００４】
LTE/LTE-Aシステムにおけるランダムアクセス応答メッセージ（Random Access Response、RARと称する）の占有する時間周波数リソースの位置情報はダウンリンク制御情報（Downlink Control Information、DCIと称する）に含まれて且つ物理ダウンリンク制御チャンネル（Physical Downlink Control Channel、PDCCHと称する）により送信されたものである。なお、上記DCI情報には16ビットの巡回冗長チェックコード（Cyclic Redundancy Check、CRCと称する）が更に含まれ、且つ上記CRCは16ビットのランダムアクセス無線ネットワーク一時識別子（Random Access Radio Network Temporary Identity、RA-RNTIと称する）を採用してスクランブリングし、スクランブリング方式は、
【数１】
2016518083.tif 000003
【０００５】
LTE/LTE-Aシステムのランダムアクセスチャンネル（Physical Random Access Channel、PRACHと称する）に対して強化設計を行うことにより、MTC UEが正常にシステムにアクセスできることを保証するので、LTE/LTE-Aシステムのランダムアクセス応答メッセージ（Random Access Response、RARと称する）も強化設計を行う必要があり、MTC UEが正常に受信できることを保証する。
【発明の概要】
【発明が解決しようとする課題】
【０００６】
本発明の実施例は、MTC UEのランダムアクセス性能を向上させるランダムアクセス方法及びシステムを提供する。
【課題を解決するための手段】
【０００７】
本発明の実施例はランダムアクセス方法を提供し、
第2ノードが第1ノードへランダムアクセスシグナリングを送信することと、
前記第1ノードが前記第2ノードへランダムアクセス応答メッセージを返信し、その中に前記第2ノードのランダムアクセス応答情報が含まれることと、を含む。
【０００８】
選択的に、
前記ランダムアクセス応答情報は、前記第1ノードが前記第2ノードのために配分したアップリンクリソースの位置情報を含む。
【０００９】
選択的に、前記方法は更に、
前記第2ノードが前記ランダムアクセス応答メッセージを受信した後、前記第1ノードが前記第2ノードのために配分したアップリンクリソースの位置情報に基づいて、対応するアップリンクリソースで衝突検出メッセージを送信することを含む。
【００１０】
選択的に、前記方法は更に、
前記第1ノードは前記第2ノードが送信した前記衝突検出メッセージを受信した後、前記第2ノードへ衝突検出応答メッセージを送信することを含む。
【００１１】
選択的に、
前記ランダムアクセスシグナリングは前記第2ノードが選択されたランダムアクセス情報によりプリセット規則に従って生成したものであり、
そのうち、前記ランダムアクセス情報は、
前記第2ノードが選択したランダムアクセスシーケンスのタイプ、
前記第2ノードが選択したランダムアクセスシーケンスの索引情報、及び
前記ランダムアクセスシーケンスの繰り返して送信する必要がある回数の情報、のうちの少なくとも1つを含む。
【００１２】
選択的に、
前記第2ノードが、前記ランダムアクセスシーケンスの繰り返して送信する必要がある回数を確定することは、
前記第2ノードは前記第1ノードが送信したダウンリンク基準信号の信号品質を測定し、且つ前記ダウンリンク基準信号の信号品質と予定閾値とを比較し、前記ランダムアクセスシーケンスの繰り返して送信する必要がある回数を確定することを含む。
【００１３】
選択的に、
前記予定閾値は1つ以上の値を含み、
そのうち、各値と1つのランダムアクセスシーケンスの繰り返して送信する必要がある回数は1対1マッピングの関係がある。
【００１４】
選択的に、
前記第2ノードが前記ランダムアクセスシーケンスの繰り返して送信する必要がある回数を確定することは、
前記第2ノードは前記第1ノードが送信したダウンリンク基準信号の信号品質を測定し、且つ前記ダウンリンク基準信号の信号品質と予定閾値とを比較し、前記ランダムアクセスシーケンスが繰り返して送信する必要があるかどうかを確定することを含む。
【００１５】
選択的に、
前記第2ノードは前記ランダムアクセスシーケンスが繰り返して送信する必要があることを確定すると、前記ランダムアクセスシーケンスの繰り返して送信する必要がある回数は前記第2ノードにより設定されるか又は標準設定を採用する。
【００１６】
選択的に、
前記予定閾値は標準によりデフォルトに設定されて且つ前記第2ノードに記憶され、又は前記予定閾値は標準によりデフォルトに設定されて且つ前記第1ノードに記憶され、前記第1ノードにより前記第2ノードへ送信される。
【００１７】
選択的に、
前記ダウンリンク基準信号は、セクタ専用の基準信号、マスタ同期信号及びサブ同期信号のうちの少なくとも1つである。
【００１８】
選択的に、
前記信号品質情報は、基準信号受信パワー、基準信号受信品質、受信信号強度指示、前記第2ノードと前記第1ノードとの間のパスロス値、及び前記ダウンリンク基準信号の信号対雑音比のうちの少なくとも1つである。
【００１９】
選択的に、
前記ランダムアクセス応答メッセージはメッセージヘッダとメッセージ負荷を含み、メッセージヘッダは1つ以上のメッセージサブヘッダを含み、
そのうち、前記第2ノードが選択したランダムアクセスシーケンスの索引情報及び/又は前記第2ノードが選択したランダムアクセスシーケンスの繰り返し送信回数情報はメッセージサブヘッダで送信される。 
【００２０】
選択的に、
少なくとも一部のメッセージサブヘッダにおいて、各メッセージサブヘッダは前記メッセージ負荷における1つの時間周波数リソースブロックに1対1対応し、
前記ランダムアクセス応答情報に、前記第1ノードが前記第2ノードのために配分したアップリンクリソースの位置情報が含まれることは、
前記第2ノードが選択したランダムアクセスシーケンスの繰り返し送信回数情報及び/又は前記第2ノードが選択したランダムアクセスシーケンスの索引情報を含むメッセージサブヘッダの対応する時間周波数リソースブロックに、前記第1ノードが前記第2ノードのために配分したアップリンクリソースの位置情報が含まれることを含む。
【００２１】
選択的に、
前記ランダムアクセス応答情報に、前記第1ノードが前記第2ノードのために配分したアップリンクリソースの位置情報が含まれることは、
前記第1ノードが前記第2ノードのために配分したアップリンクリソースの位置情報がメッセージ負荷に位置し、且つ前記メッセージ負荷での位置は前記第2ノードが選択したランダムアクセスシーケンスの索引情報及び/又は前記第2ノードが選択したランダムアクセスシーケンスの繰り返し送信回数情報を含むメッセージサブヘッダにより指示されることを含む。
【００２２】
選択的に、
前記第2ノードのランダムアクセス応答情報が、前記第1ノードが送信したランダムアクセス応答メッセージでの位置は、ダウンリンク制御情報又はシステム情報により前記第2ノードへ送信される。
【００２３】
選択的に、
前記ランダムアクセス応答メッセージの占有するリソースの位置情報は標準により予め設定され、前記第2ノードに記憶され、又は、
前記ランダムアクセス応答メッセージの占有するリソースの位置情報は前記第1ノードがダウンリンク制御情報又はシステム情報により前記第2ノードへ送信する。
【００２４】
選択的に、
前記ダウンリンク制御情報は、Nビットの巡回冗長チェックコード（CRC）を更に含み、
そのうち、Nが正整数であり、前記CRCはNビットのランダムアクセス無線ネットワーク一時識別子（RA-RNTI）を採用してスクランブリングする。
【００２５】
選択的に、
前記RA-RNTIは、
前記第2ノードが使用するランダムアクセスチャンネルのリソース情報、
前記第2ノードが前記ランダムアクセスチャンネルで前記第1ノードに送信したランダムアクセス情報、のうちの少なくとも1つで確定され、
そのうち、前記第2ノードが使用するランダムアクセスチャンネルのリソース情報は、
前記第2ノードが使用するランダムアクセスチャンネルのリソース索引情報、
前記第2ノードが使用するランダムアクセスチャンネルの占有するフレームの索引情報、
前記第2ノードが使用するランダムアクセスチャンネルの占有するサブフレームの索引情報、
前記第2ノードが使用するランダムアクセスチャンネルの占有する周波数領域リソースの索引情報、及び
前記第2ノードが使用するランダムアクセスチャンネルの占有する物理リソースブロックの索引情報、のうちの少なくとも1つを含む。
【００２６】
選択的に、
前記ランダムアクセス応答メッセージの占有するリソースの位置情報は、前記ランダムアクセス応答メッセージの占有する時間周波数リソースブロックの索引情報及び/又は占有する時間領域リソース指示情報を含む。
【００２７】
選択的に、
前記占有する時間領域リソース指示情報は、前記ランダムアクセス応答メッセージの占有するフレーム及び/又はサブフレームの指示情報を含む。
【００２８】
選択的に、前記方法は更に、
前記第1ノードがダウンリンク制御情報又はシステム情報により、前記ランダムアクセス応答メッセージの繰り返して送信する必要がある回数の情報を前記第2ノードへ送信することを含む。
【００２９】
選択的に、
前記ランダムアクセス応答メッセージの繰り返して送信する必要がある回数の情報は標準により設定され又は前記第2ノードが選択したランダムアクセス情報により確定され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００３０】
選択的に、
前記ダウンリンク制御情報又はシステム情報は、前記ランダムアクセス応答メッセージのハイブリッド自動再送要求（HARQ）メカニズムイネーブルフラグを更に含み、
前記ランダムアクセス応答メッセージのHARQメカニズムイネーブルフラグの値が前記ランダムアクセス応答メッセージのHARQメカニズムがイネーブルであることを表す場合、前記ランダムアクセス応答メッセージがHARQメカニズムで伝送されるように前記第2ノードに指示し、
前記ランダムアクセス応答メッセージのHARQメカニズムイネーブルフラグの値が前記ランダムアクセス応答メッセージのHARQメカニズムがイネーブルでないことを表す場合、前記ランダムアクセス応答メッセージの採用する伝送方式が標準により設定されるように前記第2ノードに指示する。
【００３１】
選択的に、
前記第2ノードが選択したランダムアクセスシーケンスの索引情報及び/又は前記第2ノードが選択したランダムアクセスシーケンスの繰り返し送信回数情報を含むメッセージサブヘッダに対して、RA-RNTIを採用してスクランブリングし、スクランブリング方式は、
【数２】
2016518083.tif 000004
【００３２】
選択的に、
前記RA-RNTIにおけるM個の情報ビットの選択は標準により設定される。
【００３３】
選択的に、
前記アップリンクリソースの位置情報は、前記アップリンクリソースの占有する時間周波数リソースブロックの索引情報及び/又は前記アップリンクリソースの占有する時間領域リソース指示情報を含む。
【００３４】
選択的に、
前記アップリンクリソースの位置情報は標準により設定され又は前記第2ノードが選択したランダムアクセス情報により確定され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００３５】
選択的に、
前記アップリンクリソースの占有する時間周波数リソースブロックの索引情報は前記アップリンクリソースのP個の時間周波数リソースブロックでの索引情報を指示することに用いられ、そのうち、Pが正整数であり、前記Pの値及び時間周波数リソースブロックの大きさ及び位置分布は標準により設定され又は前記第2ノードが選択したランダムアクセス情報により確定され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００３６】
選択的に、
前記アップリンクリソースの位置情報は、前記衝突検出情報の繰り返して送信する必要がある回数の情報を更に含む。
【００３７】
選択的に、前記方法は更に、
前記第1ノードがダウンリンク制御情報又はシステム情報により前記衝突検出応答メッセージの占有するリソース位置情報を前記第2ノードに送信し、前記リソース位置情報が、対応するリソース位置で前記衝突検出応答メッセージを受信することを前記第2ノードに指示することに用いられることを含む。
【００３８】
選択的に、
前記衝突検出応答メッセージの占有するリソース位置情報は、占有する時間周波数リソースブロックの索引情報及び/又は占有する時間領域リソース指示情報を含む。
【００３９】
選択的に、
前記時間領域リソース指示情報はフレーム及び/又はサブフレームの指示情報を含む。
【００４０】
選択的に、
前記衝突検出応答メッセージの繰り返して送信する必要がある回数の情報は標準により設定され又は前記第2ノードが選択したランダムアクセス情報により確定され、又は前記ダウンリンク制御情報又はシステム情報で送信され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００４１】
選択的に、
前記ダウンリンク制御情報又はシステム情報は、前記衝突検出応答メッセージのHARQメカニズムイネーブルフラグを更に含み、
前記ランダムアクセス応答メッセージのHARQメカニズムイネーブルフラグの値はランダムアクセス応答メッセージのHARQメカニズムがイネーブルであることを表す場合、前記衝突検出応答メッセージがHARQメカニズムで伝送されるように前記第2ノードに指示し、
前記ランダムアクセス応答メッセージのHARQメカニズムイネーブルフラグの値はランダムアクセス応答メッセージのHARQメカニズムがイネーブルでないことを表す場合、前記衝突検出応答メッセージの採用する伝送方式が標準により設定されるように前記第2ノードに指示する。
【００４２】
選択的に、前記方法は更に、
前記第2ノードが前記衝突検出応答メッセージを受信した後、前記第1ノードへ前記衝突検出応答メッセージの返答メッセージを返信し、前記返答メッセージは前記第2ノードが成功に前記衝突検出応答メッセージを受信するかどうかを確定することに用いられることを含む。
【００４３】
選択的に、
前記第2ノードが前記衝突検出応答メッセージの返答メッセージを送信するリソース位置は、
前記衝突検出応答メッセージに含まれた前記第1ノードが前記第2ノードのために配分した前記衝突検出応答メッセージの返答メッセージのリソース位置指示情報、
前記第2ノードが選択したランダムアクセス情報、
前記衝突検出応答メッセージの占有するリソース位置情報、のうちの少なくとも1つで確定され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００４４】
選択的に、
前記第1ノードは、
マクロセル（Macrocell）、マイクロセル（Microcell）、ピコセル（Picocell）、フェムトセル（Femtocell）即ち家庭セル、低パワーノード（LPN）及びリレー（Relay）、のうちの少なくとも1つであり、
前記第2ノードは1つ以上の端末又は端末グループである。
【００４５】
相応的に、本発明の実施例はランダムアクセスシステムを更に提供し、第1ノードと第2ノードを含み、
前記第2ノードは、前記第1ノードへランダムアクセスシグナリングを送信するように設定され、
前記第1ノードは、前記第2ノードへランダムアクセス応答メッセージを返信し、その中に前記第2ノードのランダムアクセス応答情報が含まれるように設定される。
【００４６】
選択的に、
前記ランダムアクセス応答情報には、前記第1ノードが前記第2ノードのために配分したアップリンクリソースの位置情報が含まれる。
【００４７】
選択的に、
前記第2ノードが前記ランダムアクセス応答メッセージを受信した後、前記第1ノードが前記第2ノードのために配分したアップリンクリソースの位置情報に基づいて、対応するアップリンクリソースで衝突検出メッセージを送信する。
【００４８】
選択的に、
前記第1ノードは更に、前記第2ノードが送信した前記衝突検出メッセージを受信した後、前記第2ノードへ衝突検出応答メッセージを送信するように設定される。
【００４９】
選択的に、
前記ランダムアクセスシグナリングは前記第2ノードが選択されたランダムアクセス情報によりプリセット規則に従って生成したものであり、
そのうち、前記ランダムアクセス情報は、
前記第2ノードが選択したランダムアクセスシーケンスのタイプ、
前記第2ノードが選択したランダムアクセスシーケンスの索引情報、及び
前記ランダムアクセスシーケンスの繰り返して送信する必要がある回数の情報、のうちの少なくとも1つを含む。
【００５０】
選択的に、
前記第2ノードは、
前記第2ノードが、前記第1ノードが送信したダウンリンク基準信号の信号品質を測定し、且つ前記ダウンリンク基準信号の信号品質と予定閾値とを比較し、前記ランダムアクセスシーケンスの繰り返して送信する必要がある回数を確定するように設定される、という方式により前記ランダムアクセスシーケンスの繰り返して送信する必要がある回数を確定する。
【００５１】
選択的に、
前記予定閾値は1つ以上の値を含み、
そのうち、各値と1つのランダムアクセスシーケンスの繰り返して送信する必要がある回数は1対1マッピングの関係がある。
【００５２】
選択的に、
前記第2ノードは、
前記第2ノードが、前記第1ノードが送信したダウンリンク基準信号の信号品質を測定し、且つ前記ダウンリンク基準信号の信号品質と予定閾値とを比較し、前記ランダムアクセスシーケンスが繰り返して送信する必要があるかどうかを確定するように設定される、という方式により前記ランダムアクセスシーケンスの繰り返して送信する必要がある回数を確定する。
【００５３】
選択的に、
前記第2ノードは前記ランダムアクセスシーケンスが繰り返して送信する必要があることを確定すると、前記ランダムアクセスシーケンスの繰り返して送信する必要がある回数は前記第2ノードにより設定されるか又は標準設定を採用する。
【００５４】
選択的に、
前記予定閾値は標準によりデフォルトに設定されて且つ前記第2ノードに記憶され、又は前記予定閾値は標準によりデフォルトに設定されて且つ前記第1ノードに記憶され、前記第1ノードにより前記第2ノードに送信される。
【００５５】
選択的に、
前記ダウンリンク基準信号は、セクタ専用の基準信号、マスタ同期信号及びサブ同期信号、のうちの少なくとも1つである。
【００５６】
選択的に、
前記信号品質情報は、基準信号受信パワー、基準信号受信品質、受信信号強度指示、前記第2ノードと前記第1ノードとの間のパスロス値及び前記ダウンリンク基準信号の信号対雑音比、のうちの少なくとも1つである。
【００５７】
選択的に、
前記ランダムアクセス応答メッセージにはメッセージヘッダとメッセージ負荷が含まれ、メッセージヘッダには1つ以上のメッセージサブヘッダが含まれ、
そのうち、前記第2ノードが選択したランダムアクセスシーケンスの索引情報及び/又は前記第2ノードが選択したランダムアクセスシーケンスの繰り返し送信回数情報はメッセージサブヘッダで送信される。
【００５８】
選択的に、
少なくとも一部のメッセージサブヘッダにおいて、各メッセージサブヘッダと前記メッセージ負荷における1つの時間周波数リソースブロックは1対1対応し、
前記ランダムアクセス応答情報に前記第1ノードが前記第2ノードのために配分したアップリンクリソースの位置情報が含まれることは、
前記第2ノードが選択したランダムアクセスシーケンスの繰り返し送信回数情報及び/又は前記第2ノードが選択したランダムアクセスシーケンスの索引情報を含むメッセージサブヘッダの対応する時間周波数リソースブロックに、前記第1ノードが前記第2ノードのために配分したアップリンクリソースの位置情報が含まれることを含む。
【００５９】
選択的に、
前記ランダムアクセス応答情報に前記第1ノードが前記第2ノードのために配分したアップリンクリソースの位置情報が含まれることは、
前記第1ノードが前記第2ノードのために配分したアップリンクリソースの位置情報が、メッセージ負荷に位置し、且つ前記メッセージ負荷での位置が、前記第2ノードが選択したランダムアクセスシーケンスの索引情報及び/又は前記第2ノードが選択されたランダムアクセスシーケンスの繰り返し送信回数情報を含むメッセージサブヘッダにより指示されることを含む。
【００６０】
選択的に、
前記第2ノードのランダムアクセス応答情報が、前記第1ノードが送信したランダムアクセス応答メッセージでの位置は、ダウンリンク制御情報又はシステム情報により前記第2ノードに送信される。
【００６１】
選択的に、
前記ランダムアクセス応答メッセージの占有するリソースの位置情報は標準により予め設定され、前記第2ノードに記憶され、又は、
前記ランダムアクセス応答メッセージの占有するリソースの位置情報は前記第1ノードがダウンリンク制御情報又はシステム情報により前記第2ノードに送信する。
【００６２】
選択的に、
前記ダウンリンク制御情報は、Nビットの巡回冗長チェックコード（CRC）を更に含み、
そのうち、Nが正整数であり、前記CRCはNビットのランダムアクセス無線ネットワーク一時識別子（RA-RNTI）を採用してスクランブリングする。
【００６３】
選択的に、
前記RA-RNTIは、
前記第2ノードが使用するランダムアクセスチャンネルのリソース情報、
前記第2ノードが前記ランダムアクセスチャンネルで前記第1ノードに送信したランダムアクセス情報、のうちの少なくとも1つで確定され、
そのうち、前記第2ノードが使用するランダムアクセスチャンネルのリソース情報は、
前記第2ノードが使用するランダムアクセスチャンネルのリソース索引情報、
前記第2ノードが使用するランダムアクセスチャンネルの占有するフレームの索引情報、
前記第2ノードが使用するランダムアクセスチャンネルの占有するサブフレームの索引情報、
前記第2ノードが使用するランダムアクセスチャンネルの占有する周波数領域リソースの索引情報、及び
前記第2ノードが使用するランダムアクセスチャンネルの占有する物理リソースブロックの索引情報、のうちの少なくとも1つを含む。
【００６４】
選択的に、
前記ランダムアクセス応答メッセージの占有するリソースの位置情報は、前記ランダムアクセス応答メッセージの占有する時間周波数リソースブロックの索引情報及び/又は占有する時間領域リソース指示情報を含む。
【００６５】
選択的に、
前記占有する時間領域リソース指示情報は、前記ランダムアクセス応答メッセージの占有するフレーム及び/又はサブフレームの指示情報を含む。
【００６６】
選択的に、
前記第1ノードは更に、ダウンリンク制御情報又はシステム情報により前記ランダムアクセス応答メッセージの繰り返して送信する必要がある回数の情報を前記第2ノードへ送信するように設定される。
【００６７】
選択的に、
前記ランダムアクセス応答メッセージの繰り返して送信する必要がある回数の情報は標準により設定され又は前記第2ノードが選択したランダムアクセス情報により確定され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００６８】
選択的に、
前記ダウンリンク制御情報又はシステム情報は、前記ランダムアクセス応答メッセージのハイブリッド自動再送要求（HARQ）メカニズムイネーブルフラグを更に含み、
前記ランダムアクセス応答メッセージのHARQメカニズムイネーブルフラグの値は前記ランダムアクセス応答メッセージのHARQメカニズムがイネーブルであることを表す場合、前記ランダムアクセス応答メッセージがHARQメカニズムで伝送されるように前記第2ノードに指示し、及び
前記ランダムアクセス応答メッセージのHARQメカニズムイネーブルフラグの値は前記ランダムアクセス応答メッセージのHARQメカニズムがイネーブルでないことを表す場合、前記ランダムアクセス応答メッセージの採用する伝送方式が標準により設定されるように前記第2ノードに指示する。
【００６９】
選択的に、
前記第2ノードが選択したランダムアクセスシーケンスの索引情報及び/又は前記第2ノードが選択したランダムアクセスシーケンスの繰り返し送信回数情報を含むメッセージサブヘッダにRA-RNTIを採用してスクランブリングし、スクランブリング方式は、
【数３】
2016518083.tif 000005
【００７０】
選択的に、
前記RA-RNTIにおけるM個の情報ビットの選択は標準により設定される。
【００７１】
選択的に、
前記アップリンクリソースの位置情報は、前記アップリンクリソースの占有する時間周波数リソースブロックの索引情報及び/又は前記アップリンクリソースの占有する時間領域リソース指示情報を含む。
【００７２】
選択的に、
前記アップリンクリソースの位置情報は標準により設定され又は前記第2ノードが選択したランダムアクセス情報により確定され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００７３】
選択的に、
前記アップリンクリソースの占有する時間周波数リソースブロックの索引情報は前記アップリンクリソースのP個の時間周波数リソースブロックでの索引情報を指示することに用いられ、そのうち、Pが正整数であり、前記Pの値及び時間周波数リソースブロックの大きさ及び位置分布は標準により設定され又は前記第2ノードが選択したランダムアクセス情報により確定され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００７４】
選択的に、
前記アップリンクリソースの位置情報は、前記衝突検出情報の繰り返して送信する必要がある回数の情報を更に含む。
【００７５】
選択的に、
前記第1ノードは更に、ダウンリンク制御情報又はシステム情報により前記衝突検出応答メッセージの占有するリソース位置情報を前記第2ノードに送信し、前記リソース位置情報は対応するリソース位置で前記衝突検出応答メッセージを受信するように前記第2ノードに指示するように設定される。
【００７６】
選択的に、
前記衝突検出応答メッセージの占有するリソース位置情報には、占有する時間周波数リソースブロックの索引情報及び/又は占有する時間領域リソース指示情報が含まれる。
【００７７】
選択的に、
前記時間領域リソース指示情報はフレーム及び/又はサブフレームの指示情報を含む。
【００７８】
選択的に、
前記衝突検出応答メッセージの繰り返して送信する必要がある回数の情報は標準により設定され又は前記第2ノードが選択したランダムアクセス情報により確定され、又は前記ダウンリンク制御情報又はシステム情報で送信され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００７９】
選択的に、
前記ダウンリンク制御情報又はシステム情報は、前記衝突検出応答メッセージのHARQメカニズムイネーブルフラグを更に含み、
前記ランダムアクセス応答メッセージのHARQメカニズムイネーブルフラグの値はランダムアクセス応答メッセージのHARQメカニズムがイネーブルであることを表す場合、前記衝突検出応答メッセージがHARQメカニズムで伝送されるように前記第2ノードに指示し、及び
前記ランダムアクセス応答メッセージのHARQメカニズムイネーブルフラグの値はランダムアクセス応答メッセージのHARQメカニズムがイネーブルでないことを表す場合、前記衝突検出応答メッセージの採用する伝送方式が標準により設定されるように前記第2ノードに指示する。
【００８０】
選択的に、
前記第2ノードは更に、前記衝突検出応答メッセージを受信した後、前記第1ノードへ前記衝突検出応答メッセージの返答メッセージを返信し、前記返答メッセージが、前記第2ノードが成功に前記衝突検出応答メッセージを受信するかどうかを確定することに用いられるように設定される。
【００８１】
選択的に、
前記第2ノードが前記衝突検出応答メッセージの返答メッセージを送信するリソース位置は、
前記衝突検出応答メッセージに含まれた前記第1ノードが前記第2ノードのために配分した前記衝突検出応答メッセージの返答メッセージのリソース位置指示情報、
前記第2ノードが選択したランダムアクセス情報、
前記衝突検出応答メッセージの占有するリソース位置情報、のうちの少なくとも1つで確定され、
そのうち、前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む。
【００８２】
選択的に、
前記第1ノードは、
マクロセル（Macrocell）、マイクロセル（Microcell）、ピコセル（Picocell）、フェムトセル（Femtocell）即ち家庭セル、低パワーノード（LPN）及びリレー（Relay）、のうちの少なくとも1つであり、
前記第2ノードは1つ以上の端末又は端末グループである。
【発明の効果】
【００８３】
本発明の実施例により、MTC UEが正常にシステムにアクセスすることができ、且つランダムアクセス衝突確率を減少し、アクセス遅延を低減する。
【図面の簡単な説明】
【００８４】
【図１】図1は本発明の実施例によるランダムアクセス方法のフローチャートである。
【図２】図2は本発明応用例示1〜7によるランダムアクセスシグナリング構造の模式図である。
【図３】図3は本発明応用例示1〜7による他のランダムアクセスシグナリング構造の模式図である。
【図４】図4は本発明応用例示3、4、5、7及び8による他のランダムアクセスシグナリング構造の模式図である。
【図５】図5は本発明応用例示1、5、6、7によるランダムアクセスチャンネルのリソース分布の模式図である。
【図６】図6は本発明応用例示1〜8によるランダムアクセス応答の構造模式図である。
【図７】図7は本発明応用例示1〜8による他のランダムアクセス応答の構造模式図である。
【図８】図8は本発明応用例示2によるランダムアクセスチャンネルのリソース分布模式図である
【図９】図9は本発明応用例示3によるランダムアクセスチャンネルのリソース分布模式図である。
【図１０】図10は本発明応用例示4によるランダムアクセスチャンネルのリソース分布模式図である。
【図１１】図11は本発明応用例示によるメッセージサブヘッダとメッセージ負荷における時間周波数リソースブロックのマッピング関係の模式図である。
【図１２】図12は本発明の実施例によるランダムアクセスシステムの構造模式図である。
【発明を実施するための形態】
【００８５】
以下、図面を参照しながら本発明の実施例を詳しく説明する。なお、衝突しない場合に、本願における実施例及び実施例における特徴を互いに任意に組み合わせることができる。
【００８６】
本実施例はランダムアクセス方法を提供し、図1に示すように、
（1）ノード2がノード1へランダムアクセスシグナリングを送信すること、
（2）ノード1がランダムアクセス応答メッセージをノード2に送信し、その中にノード2のランダムアクセス応答情報が含まれ、前記ランダムアクセス応答メッセージが、ノード2がランダムアクセスチャンネルでノード1に送信するランダムアクセスシグナリングに応答するためのものであり、その中に、前記ノード1がノード2に配分したアップリンクリソースの位置情報が含まれること、を含み、
そのうち、前記ノード1は、
マクロセル（Macrocell）、マイクロセル（Microcell）、ピコセル（Picocell）、フェムトセル（Femtocell、即ち家庭セル）、低パワーノード（Low Power Node、LPNと称し、低パワーセルとも称し、Smallcell）及びリレー（Relay）、のうちの少なくとも1つであってよく、
そのうち、前記ノード2は、
1つ以上の端末、
一グループの端末、のうちの1つであってよく、
そのうち、前記ランダムアクセスシグナリングは前記ノード2が選択されたランダムアクセス情報によりプリセット規則に従って生成したものであり、
選択的に、前記ランダムアクセス情報は、
前記ノード2が選択したランダムアクセスシーケンスのタイプ、
前記ノード2が選択したランダムアクセスシーケンスの索引情報、
前記ノード2が選択したランダムアクセスシーケンスの繰り返して送信する必要がある回数の情報、のうちの少なくとも1つを含み、
選択的に、前記ノード2が選択したランダムアクセスシーケンスの繰り返して送信する必要がある回数情報は、
前記ノード2が、前記ノード1が送信したダウンリンク基準信号の信号品質情報を測定し、且つ前記ダウンリンク基準信号の信号品質情報と予定閾値とを比較し、ランダムアクセスシーケンスの繰り返して送信する必要がある回数を確定し、そのうち、予定閾値が1つ以上の値を含み、各値と1つのランダムアクセスシーケンスの繰り返して送信する必要がある回数との間に1対1マッピングの関係がある、という方法で確定される。
【００８７】
例えば、4個のプリセット閾値であるTh-A、Th-B、Th-C、Th-Dを既知し、且つTh-A<Th-B<Th-C<Th-Dを満たし、それぞれランダムアクセスシーケンスの繰り返し送信5回、繰り返し送信10回、繰り返し送信50回、繰り返し送信100回に対応する場合、
ノード2は前記ノード1が送信したダウンリンク基準信号の信号品質情報QがQ<Th-Aを満たすと測定すると、ノード2が選択したランダムアクセスシーケンスを1回送信する必要があり、
ノード2は前記ノード1が送信したダウンリンク基準信号の信号品質情報QがTh-A?Q<Th-Bを満たすと測定すると、ノード2が選択したランダムアクセスシーケンスを5回送信する必要があり、
ノード2は前記ノード1が送信したダウンリンク基準信号の信号品質情報QがTh-B?Q<Th-Cを満たすと測定すると、ノード2が選択したランダムアクセスシーケンスを10回送信する必要があり、
端末は前記基地局が送信したダウンリンク基準信号の信号品質情報QがTh-C?Q<Th-Dを満たすと測定する場合、ノード2が選択したランダムアクセスシーケンスを50回送信する必要があり、
端末は前記基地局が送信したダウンリンク基準信号の信号品質情報QがQ?Th-Dを満たすと測定すると、ノード2が選択したランダムアクセスシーケンスを100回送信する必要があり、
ノード2は、
ノード2が、前記ノード1が送信したダウンリンク基準信号の信号品質を測定し、且つダウンリンク基準信号の信号品質と予定閾値とを比較し、ランダムアクセスシーケンスが繰り返して送信する必要があるかどうかを確定し、ランダムアクセスシーケンスが繰り返して送信する必要があることを確定すると、該ランダムアクセスシーケンスの繰り返して送信する必要がある回数がノード2により設定され又は標準設定を採用する、という方式によりランダムアクセスシーケンスの繰り返して送信する必要がある回数を確定してもよい。
【００８８】
選択的に、前記ダウンリンク基準信号は、
セクタ専用の基準信号（Cell-specific reference signal、CRSと称する）、
マスタ同期信号（Primary Synchronization Signal、PSSと称する）、
サブ同期信号（Secondary Synchronization Signal、SSSと称する）、のうちの少なくとも1つであってよい。
【００８９】
選択的に、前記信号品質情報は、
基準信号受信パワー（Reference Signal Received Power、RSRPと称する）、
基準信号受信品質（Reference Signal Received Quality、RSRQと称する）、
受信信号強度指示（Received Signal Strength Indicator、RSSIと称する）、
ノード2とノード1との間のパスロス値、
信号対雑音比、のうちの少なくとも1つであってよい。
【００９０】
選択的に、前記予定閾値は標準によりデフォルトに設定されて且つノード2に記憶され、又は前記予定閾値は標準によりデフォルトに設定されて且つノード1に記憶され、ノード1により前記ノード2に送信されてよく、
そのうち、前記ランダムアクセス応答メッセージの占有するリソース位置情報は標準により予め設定され、前記ノード1とノード2に記憶され、
そのうち、前記ランダムアクセス応答メッセージの占有するリソース位置情報はノード1がダウンリンク制御情報又はシステム情報によりノード2に送信する。
【００９１】
選択的に、前記ノード1はユニキャスト、マルチキャスト又はブロードキャストの方式を採用して前記ダウンリンク制御情報又はシステム情報を送信する。
【００９２】
選択的に、前記ダウンリンク制御情報はNビットのCRCを更に含む。
【００９３】
選択的に、前記CRCはNビットのRA-RNTIを採用してスクランブリングする。
【００９４】
選択的に、前記RA-RNTIは、
ノード2が使用するランダムアクセスチャンネルのリソース情報、
ノード2がランダムアクセスチャンネルでノード1に送信するランダムアクセス情報、のうちの少なくとも1つで確定される。
【００９５】
選択的に、前記ノード2が使用するランダムアクセスチャンネルのリソース情報は、
ノード2が使用するランダムアクセスチャンネルのリソース索引情報、
ノード2が使用するランダムアクセスチャンネルの占有するフレームの索引情報、
ノード2が使用するランダムアクセスチャンネルの占有するサブフレームの索引情報、
ノード2が使用するランダムアクセスチャンネルの占有する周波数領域リソースの索引情報、
ノード2が使用するランダムアクセスチャンネルの占有する物理リソースブロック（Physical Resource Block、PRB）の索引情報、のうちの少なくとも1つを含む。
【００９６】
選択的に、前記ランダムアクセス応答メッセージの占有するリソース位置情報は、占有する時間周波数リソースブロックの索引情報及び/又は占有する時間領域リソース指示情報を含む。
【００９７】
選択的に、前記時間領域リソース指示情報とはフレーム及び/又はサブフレームの指示情報である。
【００９８】
選択的に、前記ランダムアクセス応答メッセージの繰り返して送信する必要がある回数情報はダウンリンク制御情報又はシステム情報で送信されてよい。
【００９９】
選択的に、前記ランダムアクセス応答メッセージの繰り返して送信する必要がある回数情報は標準により設定され又は前記ノード2が選択したランダムアクセス情報により確定される。
【０１００】
選択的に、前記ダウンリンク制御情報又はシステム情報は、前記ランダムアクセス応答メッセージHARQ（Hybrid Automatic Repeat Request、ハイブリッド自動再送要求）メカニズムイネーブルフラグを更に含んでよい。
【０１０１】
前記ランダムアクセス応答メッセージのHARQメカニズムイネーブルフラグの値はランダムアクセス応答メッセージのHARQメカニズムがイネーブルであることを表す場合、該ランダムアクセス応答メッセージはHARQメカニズムで伝送され、
前記ランダムアクセス応答メッセージのHARQメカニズムイネーブルフラグの値はランダムアクセス応答メッセージのHARQメカニズムがイネーブルでないことを表す場合、該ランダムアクセス応答メッセージが採用する伝送方式は標準により設定され、
前記ノード2のランダムアクセス応答メッセージが、前記ノード1が送信したランダムアクセス応答メッセージでの位置情報は、前記ダウンリンク制御情報又はシステム情報により指示され、標準により設定されてもよく、
そのうち、前記ランダムアクセス応答メッセージはメッセージヘッダ（header）とメッセージ負荷（Payload）からなり、
そのうち、前記メッセージヘッダ（header）には1つ以上のメッセージサブヘッダ（subheader）が含まれ、
そのうち、前記subheaderはノード2が選択したランダムアクセスシーケンスの索引情報及び/又は繰り返し回数情報を含み、少なくとも一部のメッセージサブヘッダにおいて、各メッセージサブヘッダとメッセージ負荷における1つの時間周波数リソースブロックは1対1対応し、ノード2が選択したランダムアクセスシーケンスの繰り返し送信回数情報及び/又は前記ノード2が選択したランダムアクセスシーケンスの索引情報を含むメッセージサブヘッダの対応する時間周波数リソースブロックは、前記ノード1がノード2に配分したアップリンクリソースの位置情報を含んでよく、
そのうち、前記subheaderはRA-RNTIを採用してスクランブリングしてよい。
【０１０２】
【数４】
2016518083.tif 000006
【０１０３】
選択的に、RA-RNTIにおけるM個の情報ビットの選択は標準により設定され、
そのうち、前記メッセージ負荷は前記ノード1が前記ノード2に配分したアップリンクリソースの位置情報を含み、且つ該メッセージ負荷での位置は、ノード2が選択したランダムアクセスシーケンスの索引情報及び/又はノード2が選択したランダムアクセスシーケンスの繰り返し送信回数情報を含むメッセージサブヘッダにより指示される。
【０１０４】
選択的に、前記ノード2は前記アップリンクリソースで衝突検出メッセージを送信してよい。
【０１０５】
選択的に、前記アップリンクリソースの位置情報は、前記アップリンクリソースの占有する時間周波数リソースブロックの索引情報及び/又は前記アップリンクリソースの占有する時間領域リソース指示情報を含み、前記衝突検出情報の繰り返して送信する必要がある回数を更に含んでよい。
【０１０６】
選択的に、前記アップリンクリソースの占有する時間領域リソース指示情報とは前記アップリンクリソースの占有するフレーム及び/又はサブフレームの指示情報である。
【０１０７】
選択的に、前記アップリンクリソースの位置情報は標準により設定され又は前記ノード2が選択したランダムアクセス情報により確定される。
【０１０８】
選択的に、前記アップリンクリソースの占有する時間周波数リソースブロックの索引情報は、前記アップリンクリソースのP（P>=1）個の時間周波数リソースブロックでの索引情報を指示することに用いられる。
【０１０９】
更に選択的に、Pの数及び時間周波数リソースブロックの大きさと位置分布は標準により設定され又は前記ノード2が選択したランダムアクセス情報により確定され、
（3）ノード2は成功にノード1が送信したランダムアクセス応答メッセージを受信した後、ノード2はノード1が自体に配分したアップリンクリソースで衝突検出メッセージを送信し、
（4）ノード1はノード2が送信した衝突検出メッセージを受信した後、衝突検出応答メッセージをノード2に送信する。
【０１１０】
そのうち、衝突検出応答メッセージの占有するリソース位置情報はノード1がダウンリンク制御情報又はシステム情報によりノード2に送信する。
【０１１１】
選択的に、前記ノード1はユニキャスト、マルチキャスト又はブロードキャストの方式を採用して前記ダウンリンク制御情報又はシステム情報を送信する。
【０１１２】
選択的に、前記衝突検出応答メッセージの占有するリソース位置情報は、占有する時間周波数リソースブロックの索引情報及び/又は占有する時間領域リソース指示情報を含む。
【０１１３】
選択的に、前記時間領域リソース指示情報とはフレーム及び/又はサブフレームの指示情報である。
【０１１４】
選択的に、前記衝突検出応答メッセージの繰り返して送信する必要がある回数情報はダウンリンク制御情報又はシステム情報で送信されてよい。
【０１１５】
選択的に、前記衝突検出応答メッセージの繰り返して送信する必要がある回数情報は標準により設定され又は前記ノード2が選択したランダムアクセス情報により確定され、選択的に、前記ダウンリンク制御情報又はシステム情報は前記衝突検出応答メッセージHARQメカニズムイネーブルフラグを更に含んでよく、そのうち、前記ノード2が衝突検出応答メッセージの返答メッセージを送信するリソース位置指示情報は、
前記衝突検出応答メッセージに前記ノード1が前記ノード2に配分した衝突検出応答メッセージの返答メッセージが含まれるリソース位置指示情報、
前記ノード2が選択したランダムアクセス情報、
前記衝突検出応答メッセージの占有するリソース位置情報、のうちの少なくとも1つで取得される。
【０１１６】
選択的に、前記応答メッセージは前記ノード2が成功に前記衝突検出応答メッセージを受信するかどうかを確定することに用いられる。
【０１１７】
また、本実施例において、ランダムアクセスシステムであって、図12に示すように、第1ノード1201と第2ノード1202を含み、
前記第2ノード1202は、前記第1ノードへランダムアクセスシグナリングを送信するように設定され、
前記第1ノード1201は、前記第2ノードへランダムアクセス応答メッセージを返信し、その中に前記第2ノードのランダムアクセス応答情報が含まれるように設定される。
【０１１８】
好ましくは、
前記ランダムアクセス応答情報は、前記第1ノード1201が前記第2ノード1202に配分したアップリンクリソースの位置情報を含む。
【０１１９】
好ましくは、
前記第2ノード1202は前記ランダムアクセス応答メッセージを受信した後、前記第1ノード1201が前記第2ノード1202に配分したアップリンクリソースの位置情報により、対応するアップリンクリソースで衝突検出メッセージを送信する。
【０１２０】
好ましくは、
前記第1ノード1201は更に、前記第2ノード1202が送信した前記衝突検出メッセージを受信した後、前記第2ノードへ衝突検出応答メッセージを送信するように設定される。
【０１２１】
好ましくは、
前記ランダムアクセスシグナリングは前記第2ノード1202が選択されたランダムアクセス情報によりプリセット規則に従って生成したものであり、
そのうち、前記ランダムアクセス情報は、
前記第2ノード1202が選択したランダムアクセスシーケンスのタイプ、
前記第2ノード1202が選択したランダムアクセスシーケンスの索引情報、
前記ランダムアクセスシーケンスの繰り返して送信する必要がある回数の情報、のうちの少なくとも1つを含む。
【０１２２】
好ましくは、
前記第2ノード1202は、
前記第2ノード1202が、前記第1ノードが送信したダウンリンク基準信号の信号品質を測定し、且つ前記ダウンリンク基準信号の信号品質と予定閾値とを比較し、前記ランダムアクセスシーケンスの繰り返して送信する必要がある回数を確定するように設定される、という方式により前記ランダムアクセスシーケンスの繰り返して送信する必要がある回数を確定するように設定される。
【０１２３】
好ましくは、
前記予定閾値は1つ以上の値を含み、
そのうち、各値と1つのランダムアクセスシーケンスの繰り返して送信する必要がある回数は1対1マッピングの関係がある。
【０１２４】
好ましくは、
前記第2ノード1202は、
前記第2ノード1202が、前記第1ノード1201が送信したダウンリンク基準信号の信号品質を測定し、且つ前記ダウンリンク基準信号の信号品質と予定閾値とを比較し、前記ランダムアクセスシーケンスが繰り返して送信する必要があるかどうかを確定するように設定される、という方式により前記ランダムアクセスシーケンスの繰り返して送信する必要がある回数を確定するように設定される。
【０１２５】
好ましくは、
前記ランダムアクセスシーケンスが繰り返して送信する必要があることを確定すると、前記ランダムアクセスシーケンスの繰り返して送信する必要がある回数は前記第2ノード1202により設定され又は標準設定を採用する。
【０１２６】
好ましくは、
前記予定閾値は標準によりデフォルトに設定されて且つ前記第2ノード1202に記憶され、又は前記予定閾値は標準によりデフォルトに設定されて且つ前記第1ノード1201に記憶され、前記第1ノード1201により前記第2ノード1202に送信される。
【０１２７】
好ましくは、
前記ダウンリンク基準信号は、セクタ専用の基準信号、マスタ同期信号及びサブ同期信号、のうちの少なくとも1つである。
【０１２８】
好ましくは、
前記信号品質情報は、基準信号受信パワー、基準信号受信品質、受信信号強度指示、前記第2ノード1202と前記第1ノード1201との間のパスロス値及び前記ダウンリンク基準信号の信号対雑音比、のうちの少なくとも1つである。
【０１２９】
好ましくは、
前記ランダムアクセス応答メッセージにはメッセージヘッダとメッセージ負荷が含まれ、メッセージヘッダには1つ以上のメッセージサブヘッダが含まれ、
そのうち、前記第2ノードが選択したランダムアクセスシーケンスの索引情報及び/又は前記第2ノード1202が選択したランダムアクセスシーケンスの繰り返し送信回数情報はメッセージサブヘッダで送信される。 
【０１３０】
好ましくは、
少なくとも一部のメッセージサブヘッダにおいて、各メッセージサブヘッダと前記メッセージ負荷における1つの時間周波数リソースブロックは1対1対応し、
前記ランダムアクセス応答情報は、前記第1ノード1201が前記第2ノード1202に配分したアップリンクリソースの位置情報を含み、
前記第2ノード1202が選択したランダムアクセスシーケンスの繰り返し送信回数情報及び/又は前記第2ノード1202が選択したランダムアクセスシーケンスの索引情報を含むメッセージサブヘッダの対応する時間周波数リソースブロックに、前記第1ノード1201が前記第2ノード1202に配分したアップリンクリソースの位置情報が含まれることを含む。
【０１３１】
好ましくは、
前記ランダムアクセス応答情報は、前記第1ノード1201が前記第2ノード1202に配分したアップリンクリソースの位置情報を含み、
前記第1ノード1201が前記第2ノード1202に配分したアップリンクリソースの位置情報がメッセージ負荷に位置し、且つ前記メッセージ負荷での位置が、前記第2ノード1202が選択したランダムアクセスシーケンスの索引情報及び/又は前記第2ノード1202が選択したランダムアクセスシーケンスの繰り返し送信回数情報を含むメッセージサブヘッダにより指示されることを含む。
【０１３２】
好ましくは、
前記第2ノード1202のランダムアクセス応答情報が前記第1ノード1201が送信したランダムアクセス応答メッセージでの位置はダウンリンク制御情報又はシステム情報により前記第2ノード1202に送信される。
【０１３３】
好ましくは、
前記ランダムアクセス応答メッセージの占有するリソースの位置情報は標準により予め設定され、前記第2ノード1202に記憶され、又は、
前記ランダムアクセス応答メッセージの占有するリソースの位置情報は前記第1ノード1201がダウンリンク制御情報又はシステム情報により前記第2ノード1202に送信する。
【０１３４】
好ましくは、
前記ダウンリンク制御情報は、Nビットの巡回冗長チェックコード（CRC）を更に含み、
そのうち、Nが正整数であり、前記CRCはNビットのランダムアクセス無線ネットワーク一時識別子（RA-RNTI）を採用してスクランブリングする。
【０１３５】
好ましくは、
前記RA-RNTIは、
前記第2ノード1202が使用するランダムアクセスチャンネルのリソース情報、
前記第2ノード1202が前記ランダムアクセスチャンネルで前記第1ノード1201に送信したランダムアクセス情報、のうちの少なくとも1つで確定され、
そのうち、前記第2ノード1202が使用するランダムアクセスチャンネルのリソース情報は、
前記第2ノード1202が使用するランダムアクセスチャンネルのリソース索引情報、
前記第2ノード1202が使用するランダムアクセスチャンネルの占有するフレームの索引情報、
前記第2ノード1202が使用するランダムアクセスチャンネルの占有するサブフレームの索引情報、
前記第2ノード1202が使用するランダムアクセスチャンネルの占有する周波数領域リソースの索引情報、
前記第2ノード1202が使用するランダムアクセスチャンネルの占有する物理リソースブロックの索引情報、のうちの少なくとも1つを含む。
【０１３６】
好ましくは、
前記ランダムアクセス応答メッセージの占有するリソースの位置情報は、前記ランダムアクセス応答メッセージの占有する時間周波数リソースブロックの索引情報及び/又は占有する時間領域リソース指示情報を含む。
【０１３７】
好ましくは、
前記占有する時間領域リソース指示情報は、前記ランダムアクセス応答メッセージの占有するフレーム及び/又はサブフレームの指示情報を含む。
【０１３８】
好ましくは、
前記第1ノード1201は更に、ダウンリンク制御情報又はシステム情報により前記ランダムアクセス応答メッセージの繰り返して送信する必要がある回数の情報を前記第2ノード1202へ送信するように設定される。
【０１３９】
好ましくは、
前記ランダムアクセス応答メッセージの繰り返して送信する必要がある回数の情報は標準により設定され又は前記第2ノード1202が選択したランダムアクセス情報により確定され、
そのうち、前記第2ノード1202が選択したランダムアクセス情報は、前記第2ノード1202が選択したランダムアクセスシーケンスのタイプ、前記第2ノード1202が確定したランダムアクセスシーケンスの繰り返して送信する必要がある回数の情報及び/又は前記第2ノード1202が選択したランダムアクセスシーケンスの索引情報を含む。
【０１４０】
好ましくは、
前記ダウンリンク制御情報又はシステム情報は、前記ランダムアクセス応答メッセージのハイブリッド自動再送要求（HARQ）メカニズムイネーブルフラグを更に含み、
前記ランダムアクセス応答メッセージのHARQメカニズムイネーブルフラグの値は前記ランダムアクセス応答メッセージのHARQメカニズムがイネーブルであることを表す場合、前記ランダムアクセス応答メッセージがHARQメカニズムで伝送されるように前記第2ノード1202に指示し、
前記ランダムアクセス応答メッセージのHARQメカニズムイネーブルフラグの値は前記ランダムアクセス応答メッセージのHARQメカニズムがイネーブルでないことを表す場合、前記ランダムアクセス応答メッセージの採用する伝送方式が標準による設定されるように前記第2ノード1202に指示する。
【０１４１】
好ましくは、
前記第2ノード1202が選択したランダムアクセスシーケンスの索引情報及び/又は前記第2ノードが選択したランダムアクセスシーケンスの繰り返し送信回数情報を含むメッセージサブヘッダに対してRA-RNTIを採用してスクランブリングし、スクランブリング方式は、
【数５】
2016518083.tif 000007
【０１４２】
好ましくは、
前記RA-RNTIにおけるM個の情報ビットの選択は標準により設定される。
【０１４３】
好ましくは、
前記アップリンクリソースの位置情報は、前記アップリンクリソースの占有する時間周波数リソースブロックの索引情報及び/又は前記アップリンクリソースの占有する時間領域リソース指示情報を含む。
【０１４４】
好ましくは、
前記アップリンクリソースの位置情報は標準により設定され又は前記第2ノード1202が選択したランダムアクセス情報により確定され、
そのうち、前記第2ノード1202が選択したランダムアクセス情報は、前記第2ノード1202が選択したランダムアクセスシーケンスのタイプ、前記第2ノード1202が確定したランダムアクセスシーケンスの繰り返して送信する必要がある回数の情報及び/又は前記第2ノード1202が選択したランダムアクセスシーケンスの索引情報を含む。
【０１４５】
好ましくは、
前記アップリンクリソースの占有する時間周波数リソースブロックの索引情報は前記アップリンクリソースのP個の時間周波数リソースブロックでの索引情報を指示することに用いられ、そのうち、Pが正整数であり、前記Pの値及び時間周波数リソースブロックの大きさ及び位置分布は標準により設定され又は前記第2ノード1202が選択したランダムアクセス情報により確定され、
そのうち、前記第2ノード1202が選択したランダムアクセス情報は、前記第2ノード1202が選択したランダムアクセスシーケンスのタイプ、前記第2ノード1202が確定したランダムアクセスシーケンスの繰り返して送信する必要がある回数の情報及び/又は前記第2ノード1202が選択したランダムアクセスシーケンスの索引情報を含む。
【０１４６】
好ましくは、
前記アップリンクリソースの位置情報は、前記衝突検出情報の繰り返して送信する必要がある回数の情報を更に含む。
【０１４７】
好ましくは、
前記第1ノード1201は更に、ダウンリンク制御情報又はシステム情報により前記衝突検出応答メッセージの占有するリソース位置情報を前記第2ノード1202に送信し、該リソース位置情報は前記第2ノード1202が対応するリソース位置で前記衝突検出応答メッセージを受信することを指示することに用いられるように設定される。
【０１４８】
好ましくは、
前記衝突検出応答メッセージの占有するリソース位置情報は、占有する時間周波数リソースブロックの索引情報及び/又は占有する時間領域リソース指示情報を含む。
【０１４９】
好ましくは、
前記時間領域リソース指示情報はフレーム及び/又はサブフレームの指示情報を含む。
【０１５０】
好ましくは、
前記衝突検出応答メッセージの繰り返して送信する必要がある回数の情報は標準により設定され又は前記第2ノード1202が選択したランダムアクセス情報により確定され、又は前記ダウンリンク制御情報又はシステム情報で送信され、
そのうち、前記第2ノード1202が選択したランダムアクセス情報は、前記第2ノードが選択したランダムアクセスシーケンスのタイプ、前記第2ノード1202が確定したランダムアクセスシーケンスの繰り返して送信する必要がある回数の情報及び/又は前記第2ノード1202が選択したランダムアクセスシーケンスの索引情報を含む。
【０１５１】
好ましくは、
前記ダウンリンク制御情報又はシステム情報は、前記衝突検出応答メッセージのHARQメカニズムイネーブルフラグを更に含み、
前記ランダムアクセス応答メッセージのHARQメカニズムイネーブルフラグの値はランダムアクセス応答メッセージのHARQメカニズムがイネーブルであることを表す場合、前記衝突検出応答メッセージがHARQメカニズムで伝送されるように前記第2ノード1202に指示し、
前記ランダムアクセス応答メッセージのHARQメカニズムイネーブルフラグの値はランダムアクセス応答メッセージのHARQメカニズムがイネーブルでないことを表す場合、前記衝突検出応答メッセージの採用する伝送方式が標準により設定されるように前記第2ノード1202に指示する。
【０１５２】
好ましくは、
前記第2ノード1202は更に、前記衝突検出応答メッセージを受信した後、前記第1ノードへ前記衝突検出応答メッセージの返答メッセージを返信し、前記返答メッセージが、前記第2ノード1202が成功に前記衝突検出応答メッセージを受信するかどうかを確定することに用いられるように設定される。
【０１５３】
好ましくは、
前記第2ノード1202が前記衝突検出応答メッセージの返答メッセージを送信するリソース位置は、
前記衝突検出応答メッセージに含まれた前記第1ノード1201が前記第2ノード1202に配分した前記衝突検出応答メッセージの返答メッセージのリソース位置指示情報、
前記第2ノード1202が選択したランダムアクセス情報、
前記衝突検出応答メッセージの占有するリソース位置情報、のうちの少なくとも1つで確定され、
そのうち、前記第2ノード1202が選択したランダムアクセス情報は、前記第2ノード1202が選択したランダムアクセスシーケンスのタイプ、前記第2ノード1202が確定したランダムアクセスシーケンスの繰り返して送信する必要がある回数の情報及び/又は前記第2ノード1202が選択したランダムアクセスシーケンスの索引情報を含む。
【０１５４】
好ましくは、
前記第1ノード1201は、
マクロセル（Macrocell）、マイクロセル（Microcell）、ピコセル（Picocell）、フェムトセル（Femtocell）即ち家庭セル、低パワーノード（LPN）及びリレー（Relay）、のうちの少なくとも1つであり、
前記第2ノードは1つ以上の端末又は端末グループである。
【０１５５】
以下、複数の応用例示で本発明の実施例を詳しく説明する。なお、便利に説明するために、以下、基地局でノード1を表し、ユーザ端末（User Equipment、UEと称する）でノード2を表す。
【０１５６】
応用例示1
無線通信システムにおいて、ランダムアクセス方法のステップは以下の通りである。
【０１５７】
（1）無線通信システムにおける端末UE1はランダムアクセスチャンネルでランダムアクセスシグナリングを送信し、前記ランダムアクセスシグナリングは以下の方式で構成することができる。
【０１５８】
（a）先に、UE1はランダムアクセスシーケンスの繰り返して送信する必要がある回数を確定し、
UE1が、基地局が送信したダウンリンク基準信号の信号品質情報を測定し、且つ該ダウンリンク基準信号の信号品質情報と予定閾値とを比較し、ランダムアクセスシーケンスの繰り返して送信する必要がある回数を確定することを含み、
そのうち、上記ダウンリンク基準信号は、
セクタ専用の基準信号、マスタ同期信号及びサブ同期信号、のうちの少なくとも1つであってよく、
信号品質情報は、
基準信号受信パワー、基準信号受信品質、受信信号強度指示、UE1と基地局との間のパスロス値及びダウンリンク基準信号の信号対雑音比、のうちの少なくとも1つであってよい。
【０１５９】
プリセット閾値は標準によりデフォルトに設定されて且つUE1に記憶され又は標準によりデフォルトに設定されて且つ基地局に記憶された後、基地局によりUE1に送信されてよい。
【０１６０】
該プリセット閾値は1つ以上の値を含み、
そのうち、前記基地局は、
マクロセル（Macrocell）、マイクロセル（Microcell）、ピコセル（Picocell）、フェムトセル（Femtocell）即ち家庭セル、低パワーセル（Smallcell）、のうちの1つであってよい。
【０１６１】
本例示において、UE1がランダムアクセスシーケンスの繰り返して送信する必要がある回数を確定する手段は以下の通りである。
【０１６２】
例えば、Th-A、Th-B、Th-C、Th-Dは4個のプリセット閾値であり、且つTh-A<Th-B<Th-C<Th-Dを満たし、それぞれランダムアクセスシーケンス繰り返し送信A回、繰り返し送信B回、繰り返し送信C回及び繰り返し送信D回に対応し、そのうち、Th-A、Th-B、Th-C、Th-D、A、B、C、Dはいずれも正整数である。
【０１６３】
端末は基地局が送信したダウンリンク基準信号の信号品質情報QがQ<Th-Aを満たすと測定すると、端末が選択したランダムアクセスシーケンスを1回送信する必要があり、
端末は基地局が送信したダウンリンク基準信号の信号品質情報QがTh-A?Q<Th-Bを満たすと測定すると、端末が選択したランダムアクセスシーケンスをA回繰り返して送信する必要があり、
端末は基地局が送信したダウンリンク基準信号の信号品質情報QがTh-B?Q<Th-Cを満たすと測定すると、端末が選択したランダムアクセスシーケンスをB回繰り返して送信する必要があり、
端末は基地局が送信したダウンリンク基準信号の信号品質情報QがTh-C?Q<Th-Dを満たすと測定すると、端末が選択したランダムアクセスシーケンスをC回繰り返して送信する必要があり、
端末は基地局が送信したダウンリンク基準信号の信号品質情報QがQ?Th-Dを満たすと測定すると、端末が選択したランダムアクセスシーケンスをD回繰り返して送信する必要があり、
本例示において、UE1は上記手段に従ってランダムアクセスシーケンスの繰り返して送信する必要がある回数がC回であると確定し、且つNseq=Cとすると、UE1はNseq回時間領域繰り返しをサポートするランダムアクセスシーケンスから1つを選択し、例えばUE1が選択したランダムアクセスシーケンスはSequence1であり、その索引がSequence Index1である。
【０１６４】
（b）そして、UE1はランダムアクセスチャンネルでランダムアクセスシグナリングEnhanced Sequence1を送信し、そのうち、Enhanced Sequence1の構成は図2に示すように、Enhanced Sequence1は1つのCPとNseq個のT_Sequence1（図におけるT_Seq1を参照）からなる。そのうち、T_Sequence1はSequence1が時間領域で送信される際の表現形式であり、CPはサイクリックプレフィックスであり、標準設定に従ってT_Sequence1における一部のデータで構成され、本実施例においてCPが選択したシーケンスを図2における点線ボックスで示す。UE1が使用するランダムアクセスチャンネルの占有するリソースはNsegment個のリソースセグメント（Segment）を含み、各SegmentにはNunit個の送信ユニット（Unit）が含まれ、各Unitの時間領域長さがNsubframe個のサブフレーム（subframe）であり、周波数領域でNsc個のサブキャリアを占有し、
本例示において、UE1が使用するランダムアクセスチャンネルのリソース分布状況は、図5に示すように、2個のリソースセグメント（Segment）であるSegment 1とSegment 2を含み、各Segmentの大きさは1個のフレーム（Frame）である。Segment 1とSegment 2にはいずれも3個の送信ユニットが含まれ、各Unitの時間領域長さはいずれも1つのサブフレームであり、周波数領域で72個のサブキャリアを占有し、且つ占有する周波数領域サブキャリア位置が同じである。Segment 2におけるUnitの分布はSegment 1におけるUnitの分布と同じである。UE1はUnit1〜Unit6でEnhanced Sequence1を送信する。
【０１６５】
（2）基地局は成功にUE1が送信したEnhanced Sequence1を検出すると、ランダムアクセス応答メッセージを送信し、該メッセージを送信する方式はユニキャスト、マルチキャスト又はブロードキャストを採用することができ、
そのうち、前記ランダムアクセス応答メッセージの占有するリソースの位置情報は標準により設定され又は基地局がダウンリンクチャンネルによりダウンリンク制御情報又はシステム情報でUE1に送信し、
該ダウンリンク制御情報はMビットのCRCを更に含み、且つ前記CRCはMビットのRA-RNTIを採用してスクランブリングし、スクランブリングの式は、
【数６】
2016518083.tif 000008
選択的に、前記ダウンリンク制御情報又はシステム情報は、前記ランダムアクセス応答メッセージのHARQメカニズムイネーブルフラグを更に含んでよく、
前記ランダムアクセス応答メッセージのHARQメカニズムイネーブルフラグの値はランダムアクセス応答メッセージのHARQメカニズムがイネーブルであることを表す場合、該ランダムアクセス応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該ランダムアクセス応答メッセージの採用する伝送方式が標準により設定され、
また、ランダムアクセス応答メッセージの繰り返して送信する必要がある回数の情報はダウンリンク制御情報又はシステム情報で送信されて、又は標準により設定されてよい。
【０１６６】
ランダムアクセス応答メッセージはメッセージヘッダ（header）とメッセージ負荷（Payload）を少なくとも含み、メッセージヘッダは1つの又は複数のメッセージサブヘッダ（subheader）を含み、図6に示す。また、ランダムアクセス応答メッセージは充填ビット（Padding）を更に含んでよく、図7に示す。
【０１６７】
本例示において、UE1の対応するメッセージサブヘッダはsubheader2であり、そのうちはランダムアクセスシーケンスの索引情報、即ちSequence1の索引Sequence Index1を含み、
メッセージ負荷はUE1に配分したアップリンクリソースの位置情報を少なくとも含み、上記アップリンクリソースの位置情報のPayloadでの位置はsubheader2により暗黙指示され、即ちsubheader2とPayloadにおける1つの時間周波数リソースブロック（RAR2）はマッピング関係があり、図11に示すように、UE1は成功にsubheader2を復号化した後、続いてsubheader2の対応するRAR2における情報を復号化する。そのうち、RAR2における情報は、UE1に配分したアップリンクリソースの位置情報を少なくとも含み、そして UE1は解析した、配分されたアップリンクリソースの位置情報により、対応するアップリンクリソースで衝突検出メッセージを送信することができる。
【０１６８】
また、上記アップリンクリソースの位置情報は、アップリンクリソースの占有する時間周波数リソースブロックの索引情報及び/又はアップリンクリソースの占有する時間領域リソース指示情報を含み、衝突検出情報の繰り返して送信する必要がある回数を更に含んでよく、そのうち、アップリンクリソースの占有する時間領域リソース指示情報とはアップリンクリソースの占有するフレーム及び/又はサブフレームの指示情報であり、アップリンクリソースの占有する時間周波数リソースブロックの索引情報は、前記アップリンクリソースのP（P>=1）個の時間周波数リソースブロックでの索引情報を指示することに用いられ、
なお、数P及び時間周波数リソースブロックの大きさは標準により設定され又はUE1が選択したランダムアクセス情報により確定されることができ、UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０１６９】
（3）UE1はランダムアクセス応答メッセージが指示したアップリンクリソースで衝突検出情報を基地局に送信する。そのうち、前記衝突検出情報は、K（Kの値が標準により設定される）ビットのユーザ識別情報を少なくとも含み、そのうち、該ユーザ識別情報は唯一のフラグで該ユーザを標記する。
【０１７０】
（4）基地局はUE1が送信した衝突検出情報を受信した後、ダウンリンクチャンネルで衝突検出応答メッセージを送信し、該メッセージの送信方式はユニキャスト、マルチキャスト又はブロードキャストである。
【０１７１】
そのうち、前記衝突検出応答メッセージの占有するリソース位置情報は基地局がダウンリンク制御情報又はシステム情報によりUE1に送信し、前記衝突検出応答メッセージの占有するリソース位置情報は、占有する時間周波数リソースブロックの索引情報及び/又は占有する時間領域リソース指示情報を含む。
【０１７２】
選択的に、前記時間領域リソース指示情報とはフレーム及び/又はサブフレームの指示情報である。
【０１７３】
また、衝突検出応答メッセージの繰り返して送信する必要がある回数の情報はダウンリンク制御情報又はシステム情報で送信されてよく、該回数の値は標準により設定され又は前記UE1が選択したランダムアクセス情報により確定されてよく、本例示において、UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０１７４】
また、ダウンリンク制御情報又はシステム情報は、衝突検出応答メッセージのHARQメカニズムイネーブルフラグを更に含んでよい。
【０１７５】
前記衝突検出応答メッセージHARQメカニズムのイネーブルフラグの値は衝突検出応答メッセージのHARQメカニズムがイネーブルであることを表す場合、前記衝突検出応答メッセージがHARQメカニズムで伝送され、
前記衝突検出応答メッセージHARQメカニズムのイネーブルフラグの値は衝突検出応答メッセージのHARQメカニズムがイネーブルでないことを表す場合、衝突検出応答メッセージの採用する伝送方式が標準により設定される。
【０１７６】
（5）UE1は基地局からの衝突検出応答メッセージを受信した後、基地局へ応答メッセージを返信し、基地局は該メッセージに基づいてUE1が成功に上記衝突検出応答メッセージを受信するかどうかを確定する。そのうち、UE1が衝突検出応答メッセージの返答メッセージを送信するに占有するリソース位置は、
受信した衝突検出応答メッセージに含まれた基地局が該UE1に配分した衝突検出応答メッセージの返答メッセージのリソース位置指示情報、
UE1が選択したランダムアクセス情報、
受信した衝突検出応答メッセージの占有するリソース位置情報、のうちの少なくとも1つで取得される。
【０１７７】
勿論、本例示に説明するRA-RNTIの計算方法以外、RA-RNTIの計算方法は更に、
【数７】
2016518083.tif 000009
【０１７８】
応用例示2
無線通信システムにおいて、ランダムアクセス方法であって、ステップは以下の通りである。
【０１７９】
（1）無線通信システムにおける端末UE1はランダムアクセスチャンネルでランダムアクセスシグナリングを送信し、前記ランダムアクセスシグナリングは以下の方式で構成されることができる。
【０１８０】
（a）まず、UE1はランダムアクセスシーケンスの繰り返して送信する必要がある回数を確定し、
UE1が、基地局が送信したダウンリンク基準信号の信号品質情報を測定し、且つ該ダウンリンク基準信号の信号品質情報と予定閾値とを比較し、ランダムアクセスシーケンスの繰り返して送信する必要がある回数を確定することを含み、
そのうち、上記ダウンリンク基準信号は、
セクタ専用の基準信号、マスタ同期信号及びサブ同期信号、のうちの少なくとも1つであってよく、信号品質情報は、
基準信号受信パワー、
基準信号受信品質、
受信信号強度指示、UE1と基地局との間のパスロス値及びダウンリンク基準信号の信号対雑音比、のうちの少なくとも1つであってよい。
【０１８１】
プリセット閾値は標準によりデフォルトに設定されて且つUE1に記憶され、又は標準によりデフォルトに設定されて且つ基地局に記憶された後、基地局によりUE1に送信されてよい。
【０１８２】
該プリセット閾値は1つ以上の値を含み、
そのうち、前記基地局は、
マクロセル（Macrocell）、マイクロセル（Microcell）、ピコセル（Picocell）、フェムトセル（Femtocell）即ち家庭セル、低パワーセル（Smallcell）、のうちの1つであってよい。
【０１８３】
本例示において、UE1がランダムアクセスシーケンスの繰り返して送信する必要がある回数を確定する手段は以下の通りである。
【０１８４】
例えば、Th-A、Th-B、Th-C、Th-Dが4個のプリセット閾値であり、且つTh-A<Th-B<Th-C<Th-Dを満たし、それぞれランダムアクセスシーケンス繰り返し送信A回、繰り返し送信B回、繰り返し送信C回及び繰り返し送信D回に対応し、そのうち、Th-A、Th-B、Th-C、Th-D、A、B、C、Dはいずれも正整数である。
【０１８５】
端末は基地局が送信したダウンリンク基準信号の信号品質情報QがQ<Th-Aを満たすと測定すると、端末が選択したランダムアクセスシーケンスを1回送信する必要があり、
端末は基地局が送信したダウンリンク基準信号の信号品質情報QがTh-A?Q<Th-Bを満たすと測定すると、端末が選択したランダムアクセスシーケンスをA回繰り返して送信する必要があり、
端末は基地局が送信したダウンリンク基準信号の信号品質情報QがTh-B?Q<Th-Cを満たすと測定すると、端末が選択したランダムアクセスシーケンスをB回繰り返して送信する必要があり、
端末は基地局が送信したダウンリンク基準信号の信号品質情報QがTh-C?Q<Th-Dを満たすと測定すると、端末が選択したランダムアクセスシーケンスをC回繰り返して送信する必要があり、
端末は基地局が送信したダウンリンク基準信号の信号品質情報QがQ?Th-Dを満たすと測定すると、端末が選択したランダムアクセスシーケンスをD回繰り返して送信する必要があり、
本例示において、UE1は上記手段に従ってランダムアクセスシーケンスの繰り返して送信する必要がある回数がC回であると確定すると、Nseq=Cとし、UE1は使用可能なランダムアクセスシーケンスから1つを選択し、例えばUE1が選択したランダムアクセスシーケンスはSequence1であり、その索引がSequence Index1である。
【０１８６】
（b）そして、UE1がランダムアクセスチャンネルでランダムアクセスシグナリングEnhanced Sequence1を送信し、そのうち、Enhanced Sequence1の構成は図3に示すように、Nseq個のCPとNseq個のT_Sequence1（図におけるT_Seq1を参照）からなる。そのうち、T_Sequence1はSequence1が時間領域で送信される際の表現形式であり、CPはサイクリックプレフィックスであり、標準設定に従ってT_Sequence1における一部のデータからなり、本実施例においてCPが選択したシーケンスは図3における点線ボックスで示す。
【０１８７】
UE1はランダムアクセスシーケンスを繰り返してNseq回送信することをサポートするランダムアクセスチャンネルのリソースを選択してEnhanced Sequence1を送信する必要がある。
【０１８８】
UE1が使用するランダムアクセスチャンネルのリソースはNsegment個のリソースセグメント（Segment）を含み、各SegmentにはNunit個の送信ユニット（Unit）が含まれ、各Unitの時間領域長さはNsubframe個のサブフレーム（subframe）であり、周波数領域でNsc個のサブキャリアを占有する。
【０１８９】
本例示において、UE1が使用するランダムアクセスチャンネルのリソース分布状況は、図8に示すように、2個のリソースセグメント（Segment）であるSegment 1とSegment 2を含み、各Segmentの大きさが1個のフレーム（Frame）である。Segment 1とSegment 2はいずれも3個の送信ユニットを含み、各Unitの時間領域長さが1つのサブフレームであり、周波数領域で72個のサブキャリアを占有し、且つ占有する周波数領域サブキャリアの位置が同じである。Segment 2においてUnitの分布はSegment 1におけるUnitが時間領域と周波数領域でのものと異なる。UE1はUnit1〜Unit6でEnhanced Sequence1を送信する。
【０１９０】
（2）基地局は成功にUE1が送信したEnhanced Sequence1を検出すると、ランダムアクセス応答メッセージを送信し、該メッセージを送信する方式はユニキャスト、マルチキャスト又はブロードキャストを採用することができ、
そのうち、前記ランダムアクセス応答メッセージの占有するリソースの位置情報は標準により設定され又はダウンリンクチャンネルによりダウンリンク制御情報又はシステム情報において基地局によりUE1に送信され、
該ダウンリンク制御情報はMビットのCRCを更に含み、且つ前記CRCはMビットのRA-RNTIを採用してスクランブリングし、スクランブリング公式は、
【数８】
2016518083.tif 000010
【０１９１】
【数９】
2016518083.tif 000011
【０１９２】
選択的に、前記ダウンリンク制御情報又はシステム情報は、ランダムアクセス応答メッセージのHARQメカニズムイネーブルフラグを更に含んでよい。
【０１９３】
前記ランダムアクセス応答メッセージのHARQメカニズムイネーブルフラグの値はランダムアクセス応答メッセージのHARQメカニズムがイネーブルであることを表す場合、該ランダムアクセス応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該ランダムアクセス応答メッセージの採用する伝送方式が標準により設定される。
【０１９４】
また、ランダムアクセス応答メッセージの繰り返して送信する必要がある回数の情報はダウンリンク制御情報又はシステム情報において送信されてよく、又は標準により設定されてよい。
【０１９５】
ランダムアクセス応答メッセージは、メッセージヘッダ（header）とメッセージ負荷（Payload）を少なくとも含み、メッセージヘッダに1つの又は複数のメッセージサブヘッダ（subheader）が含まれ、図6に示す。また、ランダムアクセス応答メッセージは充填ビット（Padding）を更に含んでよく、図7に示す。
【０１９６】
本例示において、UE1の対応するメッセージサブヘッダがsubheader2であり、且つその中は、ランダムアクセスシーケンスの索引情報、即ちSequence1の索引Sequence Index1を含む。
【０１９７】
メッセージ負荷にはUE1に配分したアップリンクリソースの位置情報が含まれ、該位置情報のメッセージ負荷での位置情報はsubheader2により直接に指示され、又は前記ダウンリンク制御情報又はシステム情報により指示され、該アップリンクリソースはUE1が衝突検出メッセージを送信することに用いるものである。
【０１９８】
また、上記アップリンクリソースの位置情報は、アップリンクリソースの占有する時間周波数リソースブロックの索引情報及び/又はアップリンクリソースの占有する時間領域リソース指示情報を含み、前記衝突検出情報の繰り返して送信する必要がある回数を更に含んでよく、そのうち、アップリンクリソースの占有する時間領域リソース指示情報とはアップリンクリソースの占有するフレーム及び/又はサブフレームの指示情報であり、アップリンクリソースの占有する時間領域リソース指示情報は標準により設定され又はUE1が選択したランダムアクセス情報により確定されてもよく、
本例示において、UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０１９９】
アップリンクリソースの占有する時間周波数リソースブロックの索引情報は、前記アップリンクリソースのP（P>=1）個の時間周波数リソースブロックでの索引情報を指示することに用いられる。
【０２００】
なお、数P及び時間周波数リソースブロックの大きさは標準により設定され又はUE1が選択したランダムアクセス情報により確定されてもよく、
UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０２０１】
（3）UE1はランダムアクセス応答メッセージが指示したアップリンクリソースで衝突検出情報を基地局に送信する。そのうち、前記衝突検出情報は、K（Kの値が標準により設定される）ビットのユーザ識別情報を少なくとも含む。
【０２０２】
（4）基地局はUE1が送信した衝突検出情報を受信した後、ダウンリンクチャンネルで衝突検出応答メッセージを送信し、該メッセージの送信方式はユニキャスト、マルチキャスト又はブロードキャストである。
【０２０３】
そのうち、前記衝突検出応答メッセージの占有するリソース位置情報は基地局がダウンリンク制御情報又はシステム情報によりUE1に送信し、
前記衝突検出応答メッセージの占有するリソース位置情報は、占有する時間周波数リソースブロックの索引情報及び/又は占有する時間領域リソース指示情報を含む。
【０２０４】
選択的に、前記時間領域リソース指示情報とはフレーム及び/又はサブフレームの指示情報である。
【０２０５】
また、衝突検出応答メッセージの繰り返して送信する必要がある回数の情報はダウンリンク制御情報又はシステム情報で送信されてよく、該回数の値は標準により設定され又は前記UE1が選択したランダムアクセス情報により確定されてよい。
【０２０６】
本例示において、UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０２０７】
また、ダウンリンク制御情報又はシステム情報は、衝突検出応答メッセージのHARQメカニズムイネーブルフラグを更に含んでよい。
【０２０８】
前記ランダムアクセス応答メッセージのHARQメカニズムイネーブルフラグの値はランダムアクセス応答メッセージのHARQメカニズムがイネーブルであることを表す場合、該衝突検出応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該衝突検出応答メッセージの採用する伝送方式が標準により設定される。
【０２０９】
（5）UE1は基地局からの衝突検出応答メッセージを受信した後、基地局へ応答メッセージを返信し、基地局は該メッセージに基づいてUE1が成功に上記衝突検出応答メッセージを受信するかどうかを確定する。
【０２１０】
そのうち、UE1が衝突検出応答メッセージの返答メッセージ送信するに占有するリソース位置は、
受信した衝突検出応答メッセージに含まれた基地局が該UE1に配分した衝突検出応答メッセージの返答メッセージのリソース位置指示情報、
UE1が選択したランダムアクセス情報、
受信した衝突検出応答メッセージの占有するリソース位置情報、のうちの少なくとも1つで取得される。
【０２１１】
勿論、本例示に説明するRA-RNTIの計算方法以外、RA-RNTIの計算方法は更に、
【数１０】
2016518083.tif 000012
【０２１２】
応用例示3
無線通信システムにおいて、ランダムアクセス方法であって、ステップは以下の通りである。
【０２１３】
（1）無線通信システムにおける端末UE1はランダムアクセスチャンネルでランダムアクセスシグナリングを送信し、前記ランダムアクセスシグナリングは以下の方式で構成されることができる。
【０２１４】
（a）まず、UE1はランダムアクセスシーケンスの繰り返して送信する必要がある回数を確定し、
UE1が、基地局が送信したダウンリンク基準信号の信号品質情報を測定し、且つ該ダウンリンク基準信号の信号品質情報と予定閾値とを比較し、ランダムアクセスシーケンスの繰り返して送信する必要がある回数を確定することを含み、
そのうち、上記ダウンリンク基準信号は、
セクタ専用の基準信号、
マスタ同期信号及びサブ同期信号、のうちの少なくとも1つであってよく、
信号品質情報は、
基準信号受信パワー、基準信号受信品質、受信信号強度指示、
UE1と基地局との間のパスロス値、及び
ダウンリンク基準信号の信号対雑音比、のうちの少なくとも1つであってよい。
【０２１５】
プリセット閾値は標準によりデフォルトに設定されて且つUE1に記憶され、又は標準によりデフォルトに設定されて且つ基地局に記憶された後、基地局によりUE1に送信されてよい。
【０２１６】
該プリセット閾値は1つ以上の値を含み、
そのうち、前記基地局は、
マクロセル（Macrocell）、マイクロセル（Microcell）、ピコセル（Picocell）、フェムトセル（Femtocell）即ち家庭セル、低パワーセル（Smallcell）、のうちの1つであってよい。
【０２１７】
本例示において、UE1がランダムアクセスシーケンスの繰り返して送信する必要がある回数を確定する手段は以下の通りである。
【０２１８】
例えば、Th-Aがプリセット閾値であり、端末は基地局が送信したダウンリンク基準信号の信号品質情報QがQ<Th-Aを満たすと測定すると、端末が選択したランダムアクセスシーケンスを1回送信する必要があり、
端末は基地局が送信したダウンリンク基準信号の信号品質情報QがQ?Th-Aを満たすと測定すると、端末が選択したランダムアクセスシーケンスを複数回繰り返して送信する必要があり、繰り返し送信回数は端末により自在に確定されることができる。
【０２１９】
本例示において、UE1は上記手段に従ってランダムアクセスシーケンスの繰り返して送信する必要がある回数がNseq回であると確定すると、UE1はNseq回時間領域繰り返しをサポートするランダムアクセスシーケンスから1つを選択し、例えばUE1が選択したランダムアクセスシーケンスはSequence1であり、その索引がSequence Index1である。
【０２２０】
（b）そして、UE1はランダムアクセスチャンネルでランダムアクセスシグナリングEnhanced Sequence1を送信し、そのうち、Enhanced Sequence1の構成は図4に示すように、Enhanced Sequence1はk個の部分からなり、第i個の部分はT_Sequence1（図におけるT_Seq1を参照）のMi回繰り返すシーケンス及び1つのCPを含み、 1<=i<=k、且つM1+M2+…+Mk=Nseqとし、CPがサイクリックプレフィックスであり、標準設定に従ってT_Sequence1における一部のデータからなり、本実施例においてCPが選択したシーケンスは図4における点線ボックスで示す。
【０２２１】
UE1が使用するランダムアクセスチャンネルの占有するリソースはNsegment個のリソースセグメント（Segment）を含み、各SegmentにはNunit個の送信ユニット（Unit）が含まれ、各Unitの時間領域長さがNsubframe個のサブフレーム（subframe）であり、周波数領域でNsc個のサブキャリアを占有する。
【０２２２】
本例示において、UE1が使用するランダムアクセスチャンネルのリソース分布状況は、図9に示すように、3個のリソースセグメント（Segment）であるSegment 1、Segment 2及びSegment 3を含み、各Segmentの大きさが1個のフレーム（Frame）であり、3個の送信ユニット（Unit）を含み、各Unitの時間領域長さがいずれも1つのサブフレーム（subframe）であり、周波数領域で72個のサブキャリアを占有し、且つ占有する周波数領域サブキャリア位置が同じである。Segment 2、Segment 3におけるUnitの分布とSegment 1におけるUnitの分布とが同じである。UE1はUnit2、Unit3、Unit5、Unit6、Unit8、Unit9を占有してEnhanced Sequence1を送信する。
【０２２３】
（2）基地局は成功にUE1が送信したEnhanced Sequence1を検出すると、ランダムアクセス応答メッセージを送信し、該メッセージを送信する方式はユニキャスト、マルチキャスト又はブロードキャストを採用することができ、
そのうち、前記ランダムアクセス応答メッセージの占有するリソースの位置情報は標準により設定され又は基地局がダウンリンクチャンネルによりダウンリンク制御情報又はシステム情報でUE1に送信し、該ダウンリンク制御情報はMビットのCRCを更に含み、且つ前記CRCはMビットのRA-RNTIを採用してスクランブリングし、スクランブリング公式は、
【数１１】
2016518083.tif 000013
【０２２４】
選択的に、前記ダウンリンク制御情報又はシステム情報は、前記ランダムアクセス応答メッセージのHARQメカニズムイネーブルフラグを更に含んでよい。
【０２２５】
前記ランダムアクセス応答メッセージのHARQメカニズムイネーブルフラグの値はランダムアクセス応答メッセージのHARQメカニズムがイネーブルであることを表す場合、該ランダムアクセス応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該ランダムアクセス応答メッセージの採用する伝送方式が標準により設定され、ランダムアクセス応答メッセージは、メッセージヘッダ（header）とメッセージ負荷（Payload）を少なくとも含み、メッセージヘッダには1つの又は複数のメッセージサブヘッダ（subheader）が含まれ、図6に示す。また、ランダムアクセス応答メッセージは充填ビット（Padding）を更に含んでよく、図7に示す。
【０２２６】
本例示において、UE1の対応するメッセージサブヘッダがsubheader2であり、且つその中は、ランダムアクセスシーケンスの索引情報、即ちSequence1の索引Sequence Index1を含む。且つsubheader2に対してRA-RNTIを採用してスクランブリングし、スクランブリング方式は、
【数１２】
2016518083.tif 000014
【０２２７】
また、ランダムアクセス応答メッセージの繰り返して送信する必要がある回数の情報はダウンリンク制御情報又はシステム情報において送信されてよく、又は標準により設定されてよい。
【０２２８】
メッセージ負荷は、UE1に配分したアップリンクリソースの位置情報を少なくとも含み、上記アップリンクリソースの位置情報のPayloadでの位置はsubheader2により暗黙指示され、即ちsubheader2とPayloadにおける1つの時間周波数リソースブロック（RAR2）とはマッピング関係があり、図11に示すように、UE1は成功にsubheader2を復号化した後、続いてsubheader2の対応するRAR2における情報を復号化する。そのうち、RAR2における情報は、UE1に配分したアップリンクリソースの位置情報を少なくとも含み、そして、UE1は解析した、配分されたアップリンクリソースの位置情報により、対応するアップリンクリソースで衝突検出メッセージを送信することができる。
【０２２９】
また、上記アップリンクリソースの位置情報は、アップリンクリソースの占有する時間周波数リソースブロックの索引情報及び/又はアップリンクリソースの占有する時間領域リソース指示情報を含み、前記衝突検出情報の繰り返して送信する必要がある回数を更に含んでよく、そのうち、アップリンクリソースの占有する時間領域リソース指示情報とはアップリンクリソースの占有するフレーム及び/又はサブフレームの指示情報であり、アップリンクリソースの占有する時間領域リソース指示情報は更に標準により設定され又は前記UE1が選択したランダムアクセス情報により確定されてよく、本例示において、 UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０２３０】
前記アップリンクリソースの占有する時間周波数リソースブロックの索引情報は、前記アップリンクリソースのP（P>=1）個の時間周波数リソースブロックでの索引情報を指示することに用いられる。
【０２３１】
なお、数P及び時間周波数リソースブロックの大きさは標準により設定され又はUE1が選択したランダムアクセス情報により確定されてもよい。
【０２３２】
（3）UE1はランダムアクセス応答メッセージが指示したアップリンクリソースで衝突検出情報を基地局に送信する。そのうち、前記衝突検出情報は、K（Kの値が標準により設定される）ビットのユーザ識別情報を少なくとも含む。
【０２３３】
（4）基地局はUE1が送信した衝突検出情報を受信した後、ダウンリンクチャンネルで衝突検出応答メッセージを送信し、該メッセージの送信方式はユニキャスト、マルチキャスト又はブロードキャストを含む。
【０２３４】
そのうち、前記衝突検出応答メッセージの占有するリソース位置情報は基地局がダウンリンク制御情報又はシステム情報によりUE1に送信し、前記衝突検出応答メッセージの占有するリソース位置情報は、占有する時間周波数リソースブロックの索引情報及び/又は占有する時間領域リソース指示情報を含む。
【０２３５】
選択的に、前記時間領域リソース指示情報とはフレーム及び/又はサブフレームの指示情報である。
【０２３６】
また、衝突検出応答メッセージの繰り返して送信する必要がある回数の情報はダウンリンク制御情報又はシステム情報で送信されてよく、該回数の値は標準により設定され又は前記UE1が選択したランダムアクセス情報により確定されてよい。
【０２３７】
また、ダウンリンク制御情報又はシステム情報は、衝突検出応答メッセージのHARQメカニズムイネーブルフラグを更に含んでよい。
【０２３８】
前記ランダムアクセス応答メッセージのHARQメカニズムイネーブルフラグの値はランダムアクセス応答メッセージのHARQメカニズムがイネーブルであることを表す場合、該衝突検出応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該衝突検出応答メッセージの採用する伝送方式が標準により設定される。
【０２３９】
（5）UE1は基地局からの衝突検出応答メッセージを受信した後、基地局へ応答メッセージを返信し、基地局は該メッセージに基づいてUE1が成功に上記衝突検出応答メッセージを受信するかどうかを確定する。
【０２４０】
そのうち、UE1が衝突検出応答メッセージの返答メッセージを送信するに占有するリソース位置は、
受信した衝突検出応答メッセージに含まれた基地局が該UE1に配分した衝突検出応答メッセージの返答メッセージのリソース位置指示情報、
UE1が選択したランダムアクセス情報、
受信した衝突検出応答メッセージの占有するリソース位置情報、のうちの少なくとも1つで取得される。
【０２４１】
勿論、本例示に説明するRA-RNTIの計算方法以外、RA-RNTIの計算方法は更に、
【数１３】
2016518083.tif 000015
【０２４２】
応用例示4
無線通信システムにおいて、ランダムアクセス方法であって、ステップは以下の通りである。
【０２４３】
（1）無線通信システムにおける端末UE1はランダムアクセスチャンネルでランダムアクセスシグナリングを送信し、前記ランダムアクセスシグナリングは以下の方式で構成されることができる。
【０２４４】
（a）まず、UE1はランダムアクセスシーケンスの繰り返して送信する必要がある回数を確定し、
UE1が、基地局が送信したダウンリンク基準信号の信号品質情報を測定し、且つ該ダウンリンク基準信号の信号品質情報と予定閾値とを比較し、ランダムアクセスシーケンスの繰り返して送信する必要がある回数を確定することを含み、
そのうち、上記ダウンリンク基準信号は、
セクタ専用の基準信号、
マスタ同期信号及びサブ同期信号、のうちの少なくとも1つであってよく、
信号品質情報は、
基準信号受信パワー、
基準信号受信品質、受信信号強度指示、UE1と基地局との間のパスロス値、及び
ダウンリンク基準信号の信号対雑音比、のうちの少なくとも1つであってよい。
【０２４５】
プリセット閾値は標準によりデフォルトに設定されて且つUE1に記憶され、又は標準によりデフォルトに設定されて且つ基地局に記憶された後、基地局によりUE1に送信されてよい。
【０２４６】
そのうち、前記プリセット閾値は1つの又は複数の値を含み、
そのうち、前記基地局は、
マクロセル（Macrocell）、マイクロセル（Microcell）、ピコセル（Picocell）、フェムトセル（Femtocell）即ち家庭セル、低パワーセル（Smallcell）、のうちの1つであってよい。  
【０２４７】
本例示において、UE1がランダムアクセスシーケンスの繰り返して送信する必要がある回数を確定する手段は以下の通りである。
【０２４８】
例えば、Th-Aがプリセット閾値であり、端末は基地局が送信したダウンリンク基準信号の信号品質情報QがQ<Th-Aを満たすと測定すると、端末が選択したランダムアクセスシーケンスを1回送信する必要があり、
端末は基地局が送信したダウンリンク基準信号の信号品質情報QがQ?Th-Aを満たすと測定すると、端末が選択したランダムアクセスシーケンスを複数回繰り返して送信する必要があり、繰り返し送信回数は端末により自在に確定されることができる。
【０２４９】
本例示において、UE1は上記手段に従ってランダムアクセスシーケンスの繰り返して送信する必要がある回数がNseqであると確定すると、UE1は使用可能なランダムアクセスシーケンスから1つを選択し、例えばUE1が選択したランダムアクセスシーケンスはSequence1であり、その索引がSequence Index1である。
【０２５０】
（b）そして、UE1はランダムアクセスチャンネルでランダムアクセスシグナリングEnhanced Sequence1を送信し、そのうち、Enhanced Sequence1の構成は図2又は図3又は図4に示すように、どのタイプを選択するかは標準により設定される。そのうち、T_Sequence1（図におけるT_Seq1を参照）はSequence1が時間領域で送信される際の表現形式であり、CPがサイクリックプレフィックスであり、標準設定に従ってT_Sequence1における一部のデータで構成される。
【０２５１】
UE1はランダムアクセスシーケンスを繰り返してNseq回送信することをサポートするランダムアクセスチャンネルのリソースを選択してEnhanced Sequence1を送信する必要がある。
【０２５２】
UE1が使用するランダムアクセスチャンネルのリソースはNsegment個のリソースセグメント（Segment）を含み、各SegmentにはNunit個の送信ユニット（Unit）が含まれ、各Unitの時間領域長さがNsubframe個のサブフレーム（subframe）であり、周波数領域でNsc個のサブキャリアを占有する。
【０２５３】
本例示において、UE1が使用するランダムアクセスチャンネルのリソース分布状況は、図10に示すように、3個のリソースセグメント（Segment）であるSegment 1、Segment 2及びSegment 3を含む。各Segment大きさは1個のフレーム（Frame）であり、且ついずれも3個の送信ユニット（Unit）を含み、各Unitの時間領域長さが1つのサブフレームであり、周波数領域で72個のサブキャリアを占有し、且つ占有する周波数領域サブキャリア位置が同じである。Segment 2、Segment 3におけるUnitの分布とSegment 1におけるUnitの時間領域及び周波数領域での分布とは異なる。UE1はUnit2、Unit3、Unit5、Unit6、Unit8、Unit9でEnhanced Sequence1を送信する。
【０２５４】
（2）基地局は成功にUE1が送信したEnhanced Sequence1を検出すると、ランダムアクセス応答メッセージを送信し、該メッセージを送信する方式はユニキャスト、マルチキャスト又はブロードキャストを採用することができ、 
そのうち、前記ランダムアクセス応答メッセージの占有するリソース位置情報は標準により設定され又はダウンリンクチャンネルによりダウンリンク制御情報又はシステム情報において基地局によりUE1に送信され、
該ダウンリンク制御情報はMビットのCRCを更に含み、且つ前記CRCはMビットのRA-RNTIを採用してスクランブリングし、スクランブリング公式は、
【数１４】
2016518083.tif 000016
【０２５５】
【数１５】
2016518083.tif 000017
【０２５６】
選択的に、前記ダウンリンク制御情報又はシステム情報は、ランダムアクセス応答メッセージのHARQメカニズムイネーブルフラグを更に含んでよい。
【０２５７】
前記ランダムアクセス応答メッセージのHARQメカニズムイネーブルフラグの値はランダムアクセス応答メッセージのHARQメカニズムがイネーブルであることを表す場合、該ランダムアクセス応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該ランダムアクセス応答メッセージの採用する伝送方式が標準により設定される。
【０２５８】
また、ランダムアクセス応答メッセージの繰り返して送信する必要がある回数の情報はダウンリンク制御情報又はシステム情報において送信されてよく、又は標準により設定される。
【０２５９】
ランダムアクセス応答メッセージは、メッセージヘッダ（header）とメッセージ負荷（Payload）を少なくとも含み、メッセージヘッダには1つの又は複数のメッセージサブヘッダ（subheader）が含まれ、図6に示す。また、前記ランダムアクセス応答メッセージは充填ビット（Padding）を更に含んでよく、図7に示す。
【０２６０】
本例示において、UE1の対応するメッセージサブヘッダがsubheader2であり、且つその中は、ランダムアクセスシーケンスの索引情報、即ちSequence1の索引Sequence Index1を含む。且つsubheader2に対してRA-RNTIを採用してスクランブリングし、スクランブリング方式は、
【数１６】
2016518083.tif 000018
メッセージ負荷は、UE1に配分したアップリンクリソースの位置情報を少なくとも含み、上記位置情報のメッセージ負荷での位置情報はsubheader2により直接に指示され、又は前記ダウンリンク制御情報又はシステム情報により指示され、UE1は指示により、対応するアップリンクリソースで衝突検出メッセージを送信することができる。
【０２６１】
また、上記アップリンクリソースの位置情報は、アップリンクリソースの占有する時間周波数リソースブロックの索引情報及び/又はアップリンクリソースの占有する時間領域リソース指示情報を含み、前記衝突検出情報の繰り返して送信する必要がある回数を含んでよく、そのうち、アップリンクリソースの占有する時間領域リソース指示情報とはアップリンクリソースの占有するフレーム及び/又はサブフレームの指示情報であり、
アップリンクリソースの占有する時間領域リソース指示情報は更に標準により設定され又は前記UE1が選択したランダムアクセス情報により確定されてよく、本例示において、UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０２６２】
前記アップリンクリソースの占有する時間周波数リソースブロックの索引情報は、前記アップリンクリソースのP（P>=1）個の時間周波数リソースブロックでの索引情報を指示することに用いられる。
【０２６３】
なお、数P及び時間周波数リソースブロックの大きさは標準により設定され又はUE1が選択したランダムアクセス情報により確定されてもよい。
【０２６４】
（3）UE1はランダムアクセス応答メッセージが指示したアップリンクリソースで衝突検出情報を基地局に送信する。そのうち、前記衝突検出情報は、K（Kの値が標準により設定される）ビットのユーザ識別情報を少なくとも含む。
【０２６５】
（4）基地局はUE1が送信した衝突検出情報を受信した後、ダウンリンクチャンネルで衝突検出応答メッセージを送信し、該メッセージの送信方式はユニキャスト、マルチキャスト又はブロードキャストを含む。
【０２６６】
そのうち、前記衝突検出応答メッセージの占有するリソース位置情報は基地局がダウンリンク制御情報又はシステム情報によりUE1に送信し、前記衝突検出応答メッセージの占有するリソース位置情報は、占有する時間周波数リソースブロックの索引情報及び/又は占有する時間領域リソース指示情報を含む。
【０２６７】
選択的に、前記時間領域リソース指示情報とはフレーム及び/又はサブフレームの指示情報である。
【０２６８】
また、衝突検出応答メッセージの繰り返して送信する必要がある回数の情報はダウンリンク制御情報又はシステム情報で送信されてよく、該回数の値は標準により設定され又は前記UE1が選択したランダムアクセス情報により確定されてよい。
【０２６９】
また、ダウンリンク制御情報又はシステム情報は、衝突検出応答メッセージのHARQメカニズムイネーブルフラグを更に含んでよい。
【０２７０】
前記ランダムアクセス応答メッセージのHARQメカニズムイネーブルフラグの値はランダムアクセス応答メッセージのHARQメカニズムがイネーブルであることを表す場合、該衝突検出応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該衝突検出応答メッセージの採用する伝送方式が標準により設定される。
【０２７１】
（5）UE1は基地局からの衝突検出応答メッセージを受信した後、基地局へ応答メッセージを返信し、基地局は該メッセージに基づいてUE1が成功に上記衝突検出応答メッセージを受信するかどうかを確定する。
【０２７２】
そのうち、UE1が送信した衝突検出応答メッセージの返答メッセージの占有するリソース位置は、
受信した衝突検出応答メッセージに含まれた基地局が該UE1に配分した衝突検出応答メッセージの返答メッセージのリソース位置指示情報、
UE1が選択したランダムアクセス情報、
受信した衝突検出応答メッセージの占有するリソース位置情報、のうちの少なくとも1つで取得される。
【０２７３】
勿論、本例示に説明するRA-RNTIの計算方法以外、RA-RNTIの計算方法は更に、
【数１７】
2016518083.tif 000019
【０２７４】
応用例示5
無線通信システムにおいて、ランダムアクセス方法であって、ステップは以下の通りである。
【０２７５】
（1）無線通信システムにおける端末UE1はランダムアクセスチャンネルでランダムアクセスシグナリングを送信し、前記ランダムアクセスシグナリングは以下の方式で構成されることができる。
【０２７６】
（a）まず、UE1はランダムアクセスシーケンスの繰り返して送信する必要がある回数を確定し、
UE1が、基地局が送信したダウンリンク基準信号の信号品質情報を測定し、且つ該ダウンリンク基準信号の信号品質情報と予定閾値とを比較し、ランダムアクセスシーケンスの繰り返して送信する必要がある回数を確定することを含み、
そのうち、上記ダウンリンク基準信号は、
セクタ専用の基準信号、
マスタ同期信号、及び
サブ同期信号、のうちの少なくとも1つであってよく、
信号品質情報は、
基準信号受信パワー、
基準信号受信品質、
受信信号強度指示、
UE1と基地局との間のパスロス値、及び
ダウンリンク基準信号の信号対雑音比、のうちの少なくとも1つであってよく、
プリセット閾値は標準によりデフォルトに設定されて且つUE1に記憶され、又は標準によりデフォルトに設定されて且つ基地局に記憶された後、基地局によりUE1に送信されてよく、
そのうち、前記プリセット閾値は1つの又は複数の値を含み、
そのうち、前記基地局は、
マクロセル（Macrocell）、マイクロセル（Microcell）、ピコセル（Picocell）、フェムトセル（Femtocell）即ち家庭セル、低パワーセル（Smallcell）、のうちの1つであってよい。
【０２７７】
本例示において、UE1はランダムアクセスシーケンスの繰り返して送信する必要がある回数がNseq回であると確定し、そして、Nseq回時間領域繰り返しをサポートするランダムアクセスシーケンスから1つを選択し、例えばUE1が選択したランダムアクセスシーケンスはSequence1であり、その索引がSequence Index1である。
【０２７８】
（b）そして、UE1はランダムアクセスチャンネルでランダムアクセスシグナリングEnhanced Sequence1を送信し、そのうち、Enhanced Sequence1の構成は図2又は図3又は図4に示すように、UE1が選択したEnhanced Sequence1構成のタイプはランダムアクセスシーケンスのタイプ情報により指示され、前記ランダムアクセスシーケンスのタイプ情報は基地局によりUE1に送信される。そのうち、T_Sequence1（図におけるT_Seq1を参照）はSequence1が時間領域で送信される際の表現形式であり、CPはサイクリックプレフィックスであり、標準設定に従ってT_Sequence1における一部のデータで構成される。
【０２７９】
UE1が使用するランダムアクセスチャンネルのリソースはNsegment個のリソースセグメント（Segment）を含み、各SegmentにはNunit個の送信ユニット（Unit）が含まれ、各Unitの時間領域長さはNsubframe個のサブフレーム（subframe）であり、周波数領域でNsc個のサブキャリアを占有する。
【０２８０】
本例示において、UE1が使用するランダムアクセスチャンネルのリソース分布状況は、図5に示すように、2個のリソースセグメント（Segment）であるSegment 1とSegment 2を含み、各Segmentの大きさが1個のフレーム（Frame）である。Segment 1とSegment 2はいずれも3個の送信ユニットを含み、各Unitの時間領域長さがいずれも1つのサブフレームであり、周波数領域で72個のサブキャリアを占有し、且つ占有する周波数領域サブキャリア位置が同じである。Segment 2におけるUnitの分布とSegment 1におけるUnitが時間領域及び周波数領域での分布とは異なる。UE1はUnit1〜Unit6でEnhanced Sequence1を送信する。
【０２８１】
（2）基地局は成功にUE1が送信したEnhanced Sequence1を検出すると、ランダムアクセス応答メッセージを送信し、該メッセージを送信する方式はユニキャスト、マルチキャスト又はブロードキャストを採用することができ、
そのうち、前記ランダムアクセス応答メッセージの占有するリソースの位置情報は標準により設定され又は基地局がダウンリンクチャンネルによりダウンリンク制御情報又はシステム情報でUE1に送信し、該ダウンリンク制御情報はMビットのCRCを更に含み、且つ該CRCはMビットのRA-RNTIを採用してスクランブリングし、スクランブリング公式は、
【数１８】
2016518083.tif 000020
【０２８２】
選択的に、前記ダウンリンク制御情報又はシステム情報は、前記ランダムアクセス応答メッセージのHARQメカニズムイネーブルフラグを更に含んでよく、
前記ランダムアクセス応答メッセージのHARQメカニズムイネーブルフラグの値はランダムアクセス応答メッセージのHARQメカニズムがイネーブルであることを表す場合、該ランダムアクセス応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該ランダムアクセス応答メッセージの採用する伝送方式が標準により設定される。
【０２８３】
また、ランダムアクセス応答メッセージの繰り返して送信する必要がある回数の情報はダウンリンク制御情報又はシステム情報において送信されてよく、又は標準により設定されてよい。ランダムアクセス応答メッセージは、メッセージヘッダ（header）とメッセージ負荷（Payload）を少なくとも含み、メッセージヘッダには1つの又は複数のメッセージサブヘッダ（subheader）が含まれ、図6に示す。また、前記ランダムアクセス応答メッセージは充填ビット（Padding）を更に含んでよく、図7に示す。
【０２８４】
本例示において、UE1の対応するメッセージサブヘッダがsubheader2であり、且つその中は、ランダムアクセスシーケンスSequence1の索引Sequence Index1とSequence1の時間領域繰り返し回数情報Nseqを含む。 
【０２８５】
メッセージ負荷は、UE1に配分したアップリンクリソースの位置情報を少なくとも含み、上記位置情報のPayloadでの位置がsubheader2により暗黙指示され、即ちsubheader2とPayloadにおける1つの時間周波数リソースブロック（本例示において、RAR2とする）とはマッピング関係があり、図11に示すように、UE1は成功にsubheader2を復号化した後、続いてsubheader2の対応するRAR2における情報を復号化する。そのうち、RAR2における情報は、UE1に配分したアップリンクリソースの位置情報を少なくとも含み、そして、UE1は解析した、配分されたアップリンクリソースの位置情報により、対応するアップリンクリソースで衝突検出メッセージを送信することができる。
【０２８６】
また、上記アップリンクリソースの位置情報は、アップリンクリソースの占有する時間周波数リソースブロックの索引情報及び/又は前記アップリンクリソースの占有する時間領域リソース指示情報を含み、前記衝突検出情報の繰り返して送信する必要がある回数を更に含んでよく、そのうち、アップリンクリソースの占有する時間領域リソース指示情報とはアップリンクリソースの占有するフレーム及び/又はサブフレームの指示情報であり、
アップリンクリソースの占有する時間領域リソース指示情報は更に標準により設定され又は前記UE1が選択したランダムアクセス情報により確定されてよく、
本例示において、UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０２８７】
前記アップリンクリソースの占有する時間周波数リソースブロックの索引情報は、前記アップリンクリソースのP（P>=1）個の時間周波数リソースブロックでの索引情報を指示することに用いられる。
【０２８８】
なお、数P及び時間周波数リソースブロックの大きさは標準により設定され又はUE1が選択したランダムアクセス情報により確定されてもよい。
【０２８９】
（3）UE1はランダムアクセス応答メッセージが指示したアップリンクリソースで衝突検出情報を基地局に送信する。そのうち、前記衝突検出情報は、K（Kの値が標準により設定される）ビットのユーザ識別情報を少なくとも含む。
【０２９０】
（4）基地局はUE1が送信した衝突検出情報を受信した後、ダウンリンクチャンネルで衝突検出応答メッセージを送信し、該メッセージの送信方式はユニキャスト、マルチキャスト又はブロードキャストを含む。
【０２９１】
そのうち、前記衝突検出応答メッセージの占有するリソース位置情報は基地局がダウンリンク制御情報又はシステム情報によりUE1に送信し、前記衝突検出応答メッセージの占有するリソース位置情報は、占有する時間周波数リソースブロックの索引情報及び/又は占有する時間領域リソース指示情報を含む。
【０２９２】
選択的に、前記時間領域リソース指示情報とはフレーム及び/又はサブフレームの指示情報である。
【０２９３】
また、衝突検出応答メッセージの繰り返して送信する必要がある回数の情報はダウンリンク制御情報又はシステム情報で送信されてよく、該回数の値は標準により設定され又は前記UE1が選択したランダムアクセス情報により確定されてよい。
【０２９４】
また、ダウンリンク制御情報又はシステム情報は、衝突検出応答メッセージのHARQメカニズムイネーブルフラグを更に含んでよく、
前記ランダムアクセス応答メッセージのHARQメカニズムイネーブルフラグの値はランダムアクセス応答メッセージのHARQメカニズムがイネーブルであることを表す場合、該衝突検出応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該衝突検出応答メッセージの採用する伝送方式が標準により設定される。
【０２９５】
（5）UE1は基地局からの衝突検出応答メッセージを受信した後、基地局へ応答メッセージを返信し、基地局は該メッセージに基づいてUE1が成功に上記衝突検出応答メッセージを受信するかどうかを確定する。
【０２９６】
そのうち、UE1が送信した衝突検出応答メッセージの返答メッセージの占有するリソース位置は、
受信した衝突検出応答メッセージに含まれた基地局が該UE1に配分した衝突検出応答メッセージの返答メッセージのリソース位置指示情報、
UE1が選択したランダムアクセス情報、
受信した衝突検出応答メッセージの占有するリソース位置情報、のうちの少なくとも1つで取得される。
【０２９７】
勿論、本例示に説明するRA-RNTIの計算方法以外、RA-RNTIの計算方法は更に、
【数１９】
2016518083.tif 000021
【０２９８】
応用例示6
無線通信システムにおいて、ランダムアクセス方法であって、ステップは以下の通りである。
【０２９９】
（1）無線通信システムにおける端末UE1はランダムアクセスチャンネルでランダムアクセスシグナリングを送信し、前記ランダムアクセスシグナリングは以下の方式で構成されることができる。
【０３００】
（a）まず、UE1はランダムアクセスシーケンスの繰り返して送信する必要がある回数を確定し、
UE1が、基地局が送信したダウンリンク基準信号の信号品質情報を測定し、且つ該ダウンリンク基準信号の信号品質情報と予定閾値とを比較し、ランダムアクセスシーケンスの繰り返して送信する必要がある回数を確定することを含み、
そのうち、上記ダウンリンク基準信号は、
セクタ専用の基準信号、
マスタ同期信号、及び
サブ同期信号、のうちの少なくとも1つであってよく、
信号品質情報は、
基準信号受信パワー、
基準信号受信品質、
受信信号強度指示、
UE1と基地局との間のパスロス値、及び
ダウンリンク基準信号の信号対雑音比、のうちの少なくとも1つであってよい。
【０３０１】
プリセット閾値は標準によりデフォルトに設定されて且つUE1に記憶され、又は前記プリセット閾値は標準によりデフォルトに設定されて且つ基地局に記憶された後、基地局によりUE1に送信されてよい。
【０３０２】
そのうち、前記プリセット閾値は1つの又は複数の値を含み、
そのうち、前記基地局は、
マクロセル（Macrocell）、マイクロセル（Microcell）、ピコセル（Picocell）、フェムトセル（Femtocell）即ち家庭セル、低パワーセル（Smallcell）、のうちの1つであってよい。
【０３０３】
本例示において、UE1はランダムアクセスシーケンスの繰り返して送信する必要がある回数がNseq回であると確定し、そして、Nseq回時間領域繰り返しをサポートするランダムアクセスシーケンスから1つを選択し、例えばUE1が選択したランダムアクセスシーケンスはSequence1であり、その索引がSequence Index1である。
【０３０４】
（b）そして、UE1はランダムアクセスチャンネルでランダムアクセスシグナリングEnhanced Sequence1を送信し、そのうち、Enhanced Sequence1の構成は図2又は図3又は図4に示す。そのうち、T_Sequence1（図におけるT_Seq1を参照）はSequence1が時間領域で送信される際の表現形式であり、CPはサイクリックプレフィックスであり、標準設定に従ってT_Sequence1における一部のデータで構成される。UE1が使用するランダムアクセスチャンネルのリソースはNsegment個のリソースセグメント（Segment）を含み、各SegmentにはNunit個の送信ユニット（Unit）が含まれ、各Unitの時間領域長さがNsubframe個のサブフレーム（subframe）であり、周波数領域でNsc個のサブキャリアを占有する。
【０３０５】
本例示において、UE1が使用するランダムアクセスチャンネルのリソース分布状況は、図5に示すように、2個のリソースセグメント（Segment）であるSegment 1とSegment 2を含み、各Segmentの大きさが1個のフレーム（Frame）である。Segment 1とSegment 2はいずれも3個の送信ユニットを含み、各Unitの時間領域長さが1つのサブフレームであり、周波数領域で72個のサブキャリアを占有し、且つ占有する周波数領域サブキャリア位置が同じである。Segment 2におけるUnitの分布とSegment 1におけるUnitが時間領域及び周波数領域での分布とは異なる。UE1はUnit2、Unit3、Unit5、Unit6でEnhanced Sequence1を送信する。
【０３０６】
（3）基地局は成功にUE1が送信したEnhanced Sequence1を検出すると、ランダムアクセス応答メッセージを送信し、該メッセージを送信する方式はユニキャスト、マルチキャスト又はブロードキャストを採用することができ、
そのうち、前記ランダムアクセス応答メッセージの占有するリソースの位置情報は標準により設定され又は基地局がダウンリンクチャンネルによりダウンリンク制御情報又はシステム情報でUE1に送信し、
該ダウンリンク制御情報はMビットのCRCを更に含み、且つ該CRCはMビットのRA-RNTIを採用してスクランブリングし、スクランブリング公式は、
【数２０】
2016518083.tif 000022
【０３０７】
【数２１】
2016518083.tif 000023
【０３０８】
選択的に、前記ダウンリンク制御情報又はシステム情報は、前記ランダムアクセス応答メッセージのHARQメカニズムイネーブルフラグを更に含んでよく、
前記ランダムアクセス応答メッセージのHARQメカニズムイネーブルフラグの値はランダムアクセス応答メッセージのHARQメカニズムがイネーブルであることを表す場合、該ランダムアクセス応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該ランダムアクセス応答メッセージの採用する伝送方式が標準により設定され、また、ランダムアクセス応答メッセージの繰り返して送信する必要がある回数の情報はダウンリンク制御情報又はシステム情報において送信されてよく、又は標準により設定されてよい。
【０３０９】
ランダムアクセス応答メッセージは、メッセージヘッダ（header）とメッセージ負荷（Payload）を少なくとも含み、メッセージヘッダには1つの又は複数のメッセージサブヘッダ（subheader）が含まれ、図6に示す。また、前記ランダムアクセス応答メッセージは充填ビット（Padding）を更に含んでよく、図7に示す。
【０３１０】
本例示において、UE1の対応するメッセージサブヘッダがsubheader2であり、且つその中は、ランダムアクセスシーケンスSequence1の索引Sequence Index1とSequence1の時間領域繰り返し回数情報Nseqを含む。 
【０３１１】
メッセージ負荷は、UE1に配分したアップリンクリソースの位置情報を少なくとも含み、上記位置情報のメッセージ負荷での位置情報はsubheader2により直接に指示され、又はダウンリンク制御情報又はシステム情報により指示され、
UE1は指示により、対応するアップリンクリソースで衝突検出メッセージを送信することができる。
【０３１２】
上記アップリンクリソースの位置情報は、アップリンクリソースの占有する時間周波数リソースブロックの索引情報及び/又はアップリンクリソースの占有する時間領域リソース指示情報を含み、前記衝突検出情報の繰り返して送信する必要がある回数を更に含んでよく、そのうち、アップリンクリソースの占有する時間領域リソース指示情報とはアップリンクリソースの占有するフレーム及び/又はサブフレームの指示情報であり、
アップリンクリソースの占有する時間領域リソース指示情報は更に標準により設定され又は前記UE1が選択したランダムアクセス情報により確定されてよく、
本例示において、UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０３１３】
前記アップリンクリソースの占有する時間周波数リソースブロックの索引情報は、前記アップリンクリソースのP（P>=1）個の時間周波数リソースブロックでの索引情報を指示することに用いられる。
【０３１４】
なお、数P及び時間周波数リソースブロックの大きさは標準により設定され又はUE1が選択したランダムアクセス情報により確定されてもよい。
【０３１５】
（3）UE1はランダムアクセス応答メッセージが指示したアップリンクリソースで衝突検出情報を基地局に送信する。そのうち、前記衝突検出情報は、K（Kの値が標準により設定される）ビットのユーザ識別情報を少なくとも含む。
【０３１６】
（4）基地局はUE1が送信した衝突検出情報を受信した後、ダウンリンクチャンネルで衝突検出応答メッセージを送信し、該メッセージの送信方式はユニキャスト、マルチキャスト又はブロードキャストを含む。
【０３１７】
そのうち、前記衝突検出応答メッセージの占有するリソース位置情報は基地局がダウンリンク制御情報又はシステム情報によりUE1に送信する。
【０３１８】
前記衝突検出応答メッセージの占有するリソース位置情報は、占有する時間周波数リソースブロックの索引情報及び/又は占有する時間領域リソース指示情報を含む。
【０３１９】
選択的に、前記時間領域リソース指示情報とはフレーム及び/又はサブフレームの指示情報である。
【０３２０】
また、衝突検出応答メッセージの繰り返して送信する必要がある回数の情報はダウンリンク制御情報又はシステム情報で送信されてよく、該回数の値は標準により設定され又は前記UE1が選択したランダムアクセス情報により確定されてよい。
【０３２１】
また、ダウンリンク制御情報又はシステム情報は、前記衝突検出応答メッセージHARQメカニズムイネーブルフラグを更に含んでよく、
前記ランダムアクセス応答メッセージのHARQメカニズムイネーブルフラグの値はランダムアクセス応答メッセージのHARQメカニズムがイネーブルであることを表す場合、該衝突検出応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該衝突検出応答メッセージの採用する伝送方式が標準により設定される。
【０３２２】
（5）UE1は基地局からの衝突検出応答メッセージを受信した後、基地局へ応答メッセージを返信し、基地局は該メッセージに基づいてUE1が成功に上記衝突検出応答メッセージを受信するかどうかを確定する。
【０３２３】
そのうち、UE1が送信した衝突検出応答メッセージの返答メッセージの占有するリソース位置は、
受信した衝突検出応答メッセージに含まれた基地局が該UE1に配分した衝突検出応答メッセージの返答メッセージのリソース位置指示情報、
UE1が選択したランダムアクセス情報、
受信した衝突検出応答メッセージの占有するリソース位置情報、のうちの少なくとも1つで取得される。
【０３２４】
勿論、本例示に説明するRA-RNTIの計算方法以外、RA-RNTIの計算方法は更に、
【数２２】
2016518083.tif 000024
【０３２５】
応用例示7
無線通信システムにおいて、ランダムアクセス方法であって、ステップは以下の通りである。
【０３２６】
（1）無線通信システムにおける端末UE1はランダムアクセスチャンネルでランダムアクセスシグナリングを送信し、前記ランダムアクセスシグナリングは以下の方式で構成されることができる。
【０３２７】
（a）まず、UE1はランダムアクセスシーケンスの繰り返して送信する必要がある回数を確定し、
UE1が、基地局が送信したダウンリンク基準信号の信号品質情報を測定し、且つ該ダウンリンク基準信号の信号品質情報と予定閾値とを比較し、ランダムアクセスシーケンスの繰り返して送信する必要がある回数を確定することを含み、
そのうち、上記ダウンリンク基準信号は、
セクタ専用の基準信号、
マスタ同期信号、及び
サブ同期信号、のうちの少なくとも1つであってよい。
【０３２８】
信号品質情報は、
基準信号受信パワー、
基準信号受信品質、
受信信号強度指示、
UE1と基地局との間のパスロス値、及び
ダウンリンク基準信号の信号対雑音比、のうちの少なくとも1つであってよい。
【０３２９】
プリセット閾値は標準によりデフォルトに設定されて且つUE1に記憶され、又は標準によりデフォルトに設定されて且つ基地局に記憶された後、基地局によりUE1に送信されてよい。
【０３３０】
そのうち、前記プリセット閾値は1つの又は複数の値を含み、
そのうち、前記基地局は、
マクロセル（Macrocell）、マイクロセル（Microcell）、ピコセル（Picocell）、フェムトセル（Femtocell）即ち家庭セル、低パワーセル（Smallcell）、のうちの1つであってよい。
【０３３１】
本例示において、UE1はランダムアクセスシーケンスの繰り返して送信する必要がある回数がNseq回であると確定し、そして、Nseq回時間領域繰り返しをサポートするランダムアクセスシーケンスから1つを選択し、例えばUE1が選択したランダムアクセスシーケンスはSequence1であり、その索引がSequence Index1である。
【０３３２】
（b）そして、UE1がランダムアクセスチャンネルでランダムアクセスシグナリングEnhanced Sequence1を送信し、そのうち、Enhanced Sequence1の構成は図2又は図3又は図4に示す。そのうち、T_Sequence1（図におけるT_Seq1を参照）はSequence1が時間領域で送信される際の表現形式であり、CPはサイクリックプレフィックスであり、標準設定に従ってT_Sequence1における一部のデータで構成される。
【０３３３】
UE1が使用するランダムアクセスチャンネルのリソースはNsegment個のリソースセグメント（Segment）を含み、各SegmentにはNunit個の送信ユニット（Unit）が含まれ、各Unitの時間領域長さがNsubframe個のサブフレーム（subframe）であり、周波数領域でNsc個のサブキャリアを占有する。
【０３３４】
本例示において、UE1が使用するランダムアクセスチャンネルのリソース分布状況は、図5に示すように、2個のリソースセグメント（Segment）であるSegment 1とSegment 2を含み、各Segmentの大きさが1個のフレーム（Frame）である。Segment 1とSegment 2はいずれも3個の送信ユニット（Unit）を含み、各Unitの時間領域長さがいずれも1つのサブフレームであり、周波数領域で72個のサブキャリアを占有し、且つ占有する周波数領域サブキャリア位置が同じである。Segment 2におけるUnitの分布とSegment 1におけるUnitが時間領域及び周波数領域での分布とは異なる。UE1はUnit2、Unit3、Unit5、Unit6でEnhanced Sequence1を送信する。
【０３３５】
（2）基地局は成功にUE1が送信したEnhanced Sequence1を検出すると、ランダムアクセス応答メッセージを送信し、該メッセージを送信する方式はユニキャスト、マルチキャスト又はブロードキャストを採用することができる。
【０３３６】
そのうち、前記ランダムアクセス応答メッセージの占有するリソースの位置情報は標準により設定され又は基地局がダウンリンクチャンネルによりダウンリンク制御情報又はシステム情報でUE1に送信し、
該ダウンリンク制御情報はMビットのCRCを更に含み、且つ該CRCはMビットのRA-RNTIを採用してスクランブリングし、スクランブリング公式は、
【数２３】
2016518083.tif 000025
【０３３７】
選択的に、前記ダウンリンク制御情報又はシステム情報は、前記ランダムアクセス応答メッセージのHARQメカニズムイネーブルフラグを更に含んでよく、
前記ランダムアクセス応答メッセージのHARQメカニズムイネーブルフラグの値はランダムアクセス応答メッセージのHARQメカニズムがイネーブルであることを表す場合、該ランダムアクセス応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該ランダムアクセス応答メッセージの採用する伝送方式が標準により設定され、また、ランダムアクセス応答メッセージの繰り返して送信する必要がある回数の情報はダウンリンク制御情報又はシステム情報において送信されてよく、又は標準により設定されてよい。
【０３３８】
ランダムアクセス応答メッセージは、メッセージヘッダ（header）とメッセージ負荷（Payload）を少なくとも含み、ヘッダには1つの又は複数のメッセージサブヘッダ（subheader）が含まれ、図6に示す。また、前記ランダムアクセス応答メッセージは充填ビット（Padding）を更に含んでよく、図7に示す。
【０３３９】
本例示において、UE1の対応するメッセージサブヘッダがsubheader2であり、且つその中は、ランダムアクセスシーケンスSequence1の索引Sequence Index1とSequence1の時間領域繰り返し回数情報Nseqを含み、且つsubheader2に対してRA-RNTIを採用してスクランブリングし、スクランブリング方式は、
【数２４】
2016518083.tif 000026
また、ランダムアクセス応答メッセージの繰り返して送信する必要がある回数の情報はダウンリンク制御情報又はシステム情報において送信されてよく、又は標準により設定されてよい。
【０３４０】
メッセージ負荷は、UE1に配分したアップリンクリソースの位置情報を少なくとも含み、上記アップリンクリソースの位置情報のPayloadでの位置がsubheader2により暗黙指示され、即ちsubheader2とPayloadにおける1つの時間周波数リソースブロック（RAR2）とはマッピング関係があり、図11に示すように、UE1は成功にsubheader2を復号化した後、続いてsubheader2の対応するRAR2における情報を復号化する。そのうち、RAR2における情報は、UE1に配分したアップリンクリソースの位置情報を少なくとも含み、そして、UE1は解析した、配分されたアップリンクリソースの位置情報により、対応するアップリンクリソースで衝突検出メッセージを送信することができる。
【０３４１】
また、上記アップリンクリソースの位置情報は、アップリンクリソースの占有する時間周波数リソースブロックの索引情報及び/又はアップリンクリソースの占有する時間領域リソース指示情報を含み、前記衝突検出情報の繰り返して送信する必要がある回数を含んでよく、そのうち、アップリンクリソースの占有する時間領域リソース指示情報とはアップリンクリソースの占有するフレーム及び/又はサブフレームの指示情報であり、
アップリンクリソースの占有する時間領域リソース指示情報は更に標準により設定され又は前記UE1が選択したランダムアクセス情報により確定されてよく、
本例示において、UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０３４２】
前記アップリンクリソースの占有する時間周波数リソースブロックの索引情報は、前記アップリンクリソースのP（P>=1）個の時間周波数リソースブロックでの索引情報を指示することに用いられる。
【０３４３】
なお、数P及び時間周波数リソースブロックの大きさは標準により設定され又はUE1が選択したランダムアクセス情報により確定されてもよい。
【０３４４】
（3）UE1はランダムアクセス応答メッセージが指示したアップリンクリソースで衝突検出情報を基地局に送信する。そのうち、前記衝突検出情報は、K（Kの値が標準により設定される）ビットのユーザ識別情報を少なくとも含む。
【０３４５】
（4）基地局はUE1が送信した衝突検出情報を受信した後、ダウンリンクチャンネルで衝突検出応答メッセージを送信し、該メッセージの送信方式はユニキャスト、マルチキャスト又はブロードキャストを含む。
【０３４６】
そのうち、前記衝突検出応答メッセージの占有するリソース位置情報は基地局がダウンリンク制御情報又はシステム情報によりUE1に送信する。
【０３４７】
前記衝突検出応答メッセージの占有するリソース位置情報は、占有する時間周波数リソースブロックの索引情報及び/又は占有する時間領域リソース指示情報を含む。
【０３４８】
選択的に、前記時間領域リソース指示情報とはフレーム及び/又はサブフレームの指示情報である。
【０３４９】
また、衝突検出応答メッセージの繰り返して送信する必要がある回数の情報はダウンリンク制御情報又はシステム情報で送信されてよく、該回数の値は標準により設定され又は前記UE1が選択したランダムアクセス情報により確定されてよく、
また、ダウンリンク制御情報又はシステム情報は、衝突検出応答メッセージのHARQメカニズムイネーブルフラグを更に含んでよい。
【０３５０】
前記ランダムアクセス応答メッセージのHARQメカニズムイネーブルフラグの値はランダムアクセス応答メッセージのHARQメカニズムがイネーブルであることを表す場合、該衝突検出応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該衝突検出応答メッセージの採用する伝送方式が標準により設定される。
【０３５１】
（5）UE1は基地局からの衝突検出応答メッセージを受信した後、基地局へ応答メッセージを返信し、基地局は該メッセージに基づいてUE1が成功に上記衝突検出応答メッセージを受信するかどうかを確定する。
【０３５２】
そのうち、UE1が送信した衝突検出応答メッセージの返答メッセージの占有するリソース位置は、
受信した衝突検出応答メッセージに含まれた基地局が該UE1に配分した衝突検出応答メッセージの返答メッセージのリソース位置指示情報、
UE1が選択したランダムアクセス情報、
受信した衝突検出応答メッセージの占有するリソース位置情報、のうちの少なくとも1つで取得される。
【０３５３】
勿論、本例示に説明するRA-RNTIの計算方法以外、RA-RNTIの計算方法は更に、
【数２５】
2016518083.tif 000027
【０３５４】
応用例示8
無線通信システムにおいて、ランダムアクセス方法であって、ステップは以下の通りである。
【０３５５】
（1）無線通信システムにおける端末UE1はランダムアクセスチャンネルでランダムアクセスシグナリングを送信し、前記ランダムアクセスシグナリングは以下の方式で構成されることができる。
【０３５６】
（a）まず、UE1はランダムアクセスシーケンスの繰り返して送信する必要がある回数を確定し、
UE1が、基地局が送信したダウンリンク基準信号の信号品質情報を測定し、且つ該ダウンリンク基準信号の信号品質情報と予定閾値とを比較し、ランダムアクセスシーケンスの繰り返して送信する必要がある回数を確定することを含み、
そのうち、上記ダウンリンク基準信号は、
セクタ専用の基準信号、
マスタ同期信号及びサブ同期信号、のうちの少なくとも1つであってよく、
信号品質情報は、
基準信号受信パワー、基準信号受信品質、
受信信号強度指示、
UE1と基地局との間のパスロス値、及びダウンリンク基準信号の信号対雑音比、のうちの少なくとも1つであってよい。
【０３５７】
プリセット閾値は標準によりデフォルトに設定されて且つUE1に記憶され、又は前記プリセット閾値は標準によりデフォルトに設定されて且つ基地局に記憶された後、基地局によりUE1に送信され、
そのうち、前記プリセット閾値は1つの又は複数の値を含み、
そのうち、前記基地局は、
マクロセル（Macrocell）、マイクロセル（Microcell）、ピコセル（Picocell）、フェムトセル（Femtocell）即ち家庭セル、低パワーセル（Smallcell）、のうちの1つであってよい。
【０３５８】
本例示において、UE1がランダムアクセスシーケンスの繰り返して送信する必要がある回数を確定する手段は以下の通りである。
【０３５９】
例えば、Th-A、Th-B、Th-C、Th-Dが4個のプリセット閾値であり、且つTh-A<Th-B<Th-C<Th-Dを満たし、それぞれランダムアクセスシーケンス繰り返し送信A回、繰り返し送信B回、繰り返し送信C回及び繰り返し送信D回に対応し、そのうち、Th-A、Th-B、Th-C、Th-D、A、B、C、Dはいずれも正整数である。
【０３６０】
端末は基地局が送信したダウンリンク基準信号の信号品質情報QがQ<Th-Aを満たすと測定すると、端末が選択したランダムアクセスシーケンスを1回送信する必要があり、
端末は基地局が送信したダウンリンク基準信号の信号品質情報QがTh-A?Q<Th-Bを満たすと測定すると、端末が選択したランダムアクセスシーケンスをA回繰り返して送信する必要があり、
端末は基地局が送信したダウンリンク基準信号の信号品質情報QがTh-B?Q<Th-Cを満たすと測定すると、端末が選択したランダムアクセスシーケンスをB回繰り返して送信する必要があり、
端末は基地局が送信したダウンリンク基準信号の信号品質情報QがTh-C?Q<Th-Dを満たすと測定すると、端末が選択したランダムアクセスシーケンスをC回繰り返して送信する必要があり、
端末は基地局が送信したダウンリンク基準信号の信号品質情報QがQ?Th-Dを満たすと測定すると、端末が選択したランダムアクセスシーケンスをD回繰り返して送信する必要があり、
本例示において、UE1は上記手段に従ってランダムアクセスシーケンスの繰り返して送信する必要がある回数がC回であると確定すると、Nseq=Cとし、UE1はNseq回時間領域繰り返しをサポートするランダムアクセスシーケンスから1つを選択し、例えばUE1が選択したランダムアクセスシーケンスはSequence1であり、その索引がSequence Index1である。
【０３６１】
（b）そして、UE1はランダムアクセスチャンネルでランダムアクセスシグナリングEnhanced Sequence1を送信し、そのうち、Enhanced Sequence1の構成は図2又は図3又は図4に示す。そのうち、T_Sequence1（図におけるT_Seq1を参照）はSequence1が時間領域で送信される際の表現形式であり、CPはサイクリックプレフィックスであり、標準設定に従ってT_Sequence1における一部のデータで構成される。
【０３６２】
UE1が使用するランダムアクセスチャンネルの占有するリソースはNsegment個のリソースセグメント（Segment）を含み、各SegmentにはNunit個の送信ユニット（Unit）が含まれ、各Unitの時間領域長さがNsubframe個のサブフレーム（subframe）であり、周波数領域でNsc個のサブキャリアを占有する。
【０３６３】
本例示において、UE1が使用するランダムアクセスチャンネルのリソース分布状況は、図5に示すように、2個のリソースセグメント（Segment）であるSegment 1とSegment 2を含み、各Segmentの大きさが1個のフレーム（Frame）である。Segment 1とSegment 2はいずれも3個の送信ユニットを含み、各Unitの時間領域長さがいずれも1つのサブフレームであり、周波数領域で72個のサブキャリアを占有し、且つ占有する周波数領域サブキャリア位置が同じである。Segment 2におけるUnitの分布とSegment 1におけるUnitの分布とは同じである。
【０３６４】
UE1はUnit1〜Unit6でEnhanced Sequence1を送信する。
【０３６５】
（2）基地局は成功にUE1が送信したEnhanced Sequence1を検出すると、ランダムアクセス応答メッセージを送信し、該メッセージを送信する方式はユニキャスト、マルチキャスト又はブロードキャストを採用することができ、
そのうち、前記ランダムアクセス応答メッセージの占有するリソースの位置情報は標準により設定され又は基地局がダウンリンクチャンネルによりダウンリンク制御情報又はシステム情報でUE1に送信し、
前記ランダムアクセス応答メッセージの繰り返して送信する必要がある回数はUE1が送信したランダムアクセスシーケンスの繰り返して送信する必要がある回数により確定されることができる。
【０３６６】
例えば、本例示において、基地局は成功にUE1が送信したEnhanced Sequence1を検出した後、ランダムアクセスシーケンスSequence1（その索引がSequence Index1である）を繰り返してNseq回送信することを分かると、基地局はプリセット規則によりランダムアクセス応答メッセージの繰り返して送信する必要がある回数がNRARであると確定する。該プリセット規則は以下の通りであってよい。
【０３６７】
NseqとNRARとの間にマッピングが存在する。前記マッピング規則は標準により設定され又は基地局が予めUE1に送信し、基地局はNseqによりランダムアクセス応答メッセージの繰り返して送信する必要がある回数がNRARであることを確定することができる。
【０３６８】
また、該ダウンリンク制御情報はMビットのCRCを更に含み、且つ前記CRCはMビットのRA-RNTIを採用してスクランブリングし、スクランブリング公式は、
【数２６】
2016518083.tif 000028
【０３６９】
選択的に、前記ダウンリンク制御情報又はシステム情報は、前記ランダムアクセス応答メッセージのHARQメカニズムイネーブルフラグを更に含んでよい。
【０３７０】
前記ランダムアクセス応答メッセージのHARQメカニズムイネーブルフラグの値はランダムアクセス応答メッセージのHARQメカニズムがイネーブルであることを表す場合、該ランダムアクセス応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該ランダムアクセス応答メッセージの採用する伝送方式が標準により設定され、ランダムアクセス応答メッセージは、メッセージヘッダ（header）とメッセージ負荷（Payload）を少なくとも含み、メッセージヘッダには1つの又は複数のメッセージサブヘッダ（subheader）が含まれ、図6に示す。また、ランダムアクセス応答メッセージは充填ビット（Padding）を更に含んでよく、図7に示す。
【０３７１】
本例示において、UE1の対応するメッセージサブヘッダがsubheader2であり、且つその中は、ランダムアクセスシーケンスSequence1の索引Sequence Index1とSequence1の時間領域繰り返し回数情報Nseqを含み、且つsubheader2に対してRA-RNTIを採用してスクランブリングし、スクランブリング方式は、
【数２７】
2016518083.tif 000029
メッセージ負荷は、UE1に配分したアップリンクリソースの位置情報を少なくとも含み、上記アップリンクリソースの位置情報のメッセージ負荷での位置情報はsubheader2により直接に指示され、又は前記ダウンリンク制御情報又はシステム情報により指示され、UE1は指示により、対応するアップリンクリソースで衝突検出メッセージを送信することができる。
【０３７２】
また、上記アップリンクリソースの位置情報は、アップリンクリソースの占有する時間周波数リソースブロックの索引情報及び/又はアップリンクリソースの占有する時間領域リソース指示情報を含み、そのうち、アップリンクリソースの占有する時間領域リソース指示情報とはアップリンクリソースの占有するフレーム及び/又はサブフレームの指示情報であり、
前記衝突検出メッセージの繰り返して送信する必要がある回数はUE1が選択したランダムアクセスシーケンスの繰り返して送信する必要がある回数で確定されることができ、実現手段は以下の通りである。
【０３７３】
本例示において、UE1が選択したランダムアクセスシーケンスをSequence1とし、索引をSequence Index1とし、時間領域繰り返し回数をNseq回とする。NCを衝突検出メッセージの繰り返して送信する必要がある回数とし、NseqとNCとの間にマッピングが存在し、該マッピング規則は標準により設定され又は基地局により予めUE1に送信され、基地局はNseqにより衝突検出情報の繰り返して送信する必要がある回数がNCであることを確定することができる。
【０３７４】
前記アップリンクリソースの占有する時間周波数リソースブロックの索引情報は、前記アップリンクリソースのP（P>=1）個の時間周波数リソースブロックでの索引情報を指示することに用いられる。
【０３７５】
なお、数P及び時間周波数リソースブロックの大きさは標準により設定され又はUE1が選択したランダムアクセス情報により確定されてもよく、
本例示において、前記UE1が選択したランダムアクセス情報は、UE1が選択したランダムアクセスシーケンスのタイプ、UE1が選択したランダムアクセスシーケンスSequence1の索引Sequence Index1及び/又は時間領域繰り返し回数Nseq回を含んでよい。
【０３７６】
（3）UE1は衝突検出メッセージを基地局に送信する。そのうち、前記衝突検出情報は、K（Kの値が標準により設定される）ビットのユーザ識別情報を少なくとも含む。
【０３７７】
（4）基地局はUE1が送信した衝突検出情報を受信した後、ダウンリンクチャンネルで衝突検出応答メッセージを送信し、該メッセージの送信方式はユニキャスト、マルチキャスト又はブロードキャストを含む。
【０３７８】
そのうち、前記衝突検出応答メッセージの占有するリソース位置情報は基地局がダウンリンク制御情報又はシステム情報によりUE1に送信し、
前記衝突検出応答メッセージの占有するリソース位置情報は、占有する時間周波数リソースブロックの索引情報及び/又は占有する時間領域リソース指示情報を含む。
【０３７９】
選択的に、前記時間領域リソース指示情報とはフレーム及び/又はサブフレームの指示情報である。
【０３８０】
また、衝突検出応答メッセージの繰り返して送信する必要がある回数の情報はUE1が選択したランダムアクセスシーケンスの繰り返し送信回数で確定されることができ、実現手段は以下の通りである。
【０３８１】
本例示において、UE1が選択したランダムアクセスシーケンスをSequence1とし、索引をSequence Index1とし、時間領域繰り返し回数をNseq回とする。NCRを衝突検出応答メッセージの繰り返して送信する必要がある回数情報とし、NseqとNCRとの間にマッピングが存在し、前記マッピング規則は標準により設定され又は基地局が予めUE1に送信し、基地局はNseqにより衝突検出応答メッセージの繰り返して送信する必要がある回数がNCRであることを確定することができる。
【０３８２】
選択的に、前記ダウンリンク制御情報又はシステム情報は、前記衝突検出応答メッセージのHARQメカニズムイネーブルフラグを更に含んでよい。
【０３８３】
前記ランダムアクセス応答メッセージのHARQメカニズムイネーブルフラグの値はランダムアクセス応答メッセージのHARQメカニズムがイネーブルであることを表す場合、該衝突検出応答メッセージがHARQメカニズムで伝送され、
前記ランダムアクセス応答メッセージのHARQメカニズムイネーブルフラグの値はランダムアクセス応答メッセージのHARQメカニズムがイネーブルでないことを表す場合、該衝突検出応答メッセージの採用する伝送方式が標準により設定される。
【０３８４】
（5）UE1は基地局からの衝突検出応答メッセージを受信した後、基地局へ応答メッセージを返信し、基地局は該メッセージに基づいてUE1が成功に上記衝突検出応答メッセージを受信するかどうかを確定する。
【０３８５】
そのうち、UE1が送信した衝突検出応答メッセージの返答メッセージのリソース位置は、
上記衝突検出応答メッセージに含まれた基地局がUE1に配分した衝突検出応答メッセージの返答メッセージのリソース位置指示情報、
UE1が選択したランダムアクセス情報、
衝突検出応答メッセージの占有するリソース位置情報、のうちの少なくとも1つで確定される。
【０３８６】
当業者は、上記方法における全部又は一部のステップは、プログラムが関連のハードウェアを指令することにより完成することができ、前記プログラムはコンピュータ可読記憶媒体、例えば読み出し専用メモリ、ディスク又はＣＤなどに記憶することができることを理解することができる。選択的に、上記実施例の全部又は一部のステップは、1つ又は複数の集積回路を採用して達成することもできる。対応的に、上記実施例における各モジュール／ユニットはハードウェアの形式で達成してよく、ソフトウェア機能モジュールの形式で達成してもよい。本発明の実施例はいずれの特定形式のハードウェアとソフトウェアの組み合わせに限定されたものではない。
【０３８７】
上記のものは単に本発明の好ましい実施例であるだけで、本発明の保護範囲を限定するためのものではない。本発明の発明内容により、更に他の多種の実施例を有することができ、本発明の精神とその実質から逸脱しない場合に、当業者は、本発明により各種の相応の変更と変形を行うことができ、本発明の精神と原則にある限り、行ったいずれの修正、等価置き換え、改善などは、いずれも本発明の保護範囲に含まれるべきである。
【産業上の利用可能性】
【０３８８】
本発明の実施例によりMTC UEが正常にシステムにアクセスすることができ、且つランダムアクセス衝突確率を減少し、アクセス遅延を低減する。
【図１】
2016518083.tif 000032
【図２】
2016518083.tif 000033
【図３】
2016518083.tif 000034
【図４】
2016518083.tif 000035
【図５】
2016518083.tif 000036
【図６】
2016518083.tif 000037
【図７】
2016518083.tif 000038
【図８】
2016518083.tif 000039
【図９】
2016518083.tif 000040
【図１０】
2016518083.tif 000041
【図１１】
2016518083.tif 000042
【図１２】
2016518083.tif 000043
【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
第2ノードが第1ノードへランダムアクセスシグナリングを送信することと、
前記第1ノードが前記第2ノードへランダムアクセス応答メッセージを返信し、その中に前記第2ノードのランダムアクセス応答情報が含まれることと、を含むランダムアクセス方法。
【請求項２】
前記ランダムアクセス応答情報には前記第1ノードが前記第2ノードのために配分したアップリンクリソースの位置情報が含まれる請求項1に記載の方法。
【請求項３】
前記第2ノードが前記ランダムアクセス応答メッセージを受信した後、前記第1ノードが前記第2ノードのために配分したアップリンクリソースの位置情報に基づいて、対応するアップリンクリソースで衝突検出メッセージを送信することを更に含む請求項2に記載の方法。
【請求項４】
前記第1ノードは前記第2ノードが送信した前記衝突検出メッセージを受信した後、前記第2ノードへ衝突検出応答メッセージを送信することを更に含む請求項3に記載の方法。
【請求項５】
前記ランダムアクセスシグナリングは前記第2ノードが選択されたランダムアクセス情報によりプリセット規則に従って生成したものであり、
前記ランダムアクセス情報は、
前記第2ノードが選択したランダムアクセスシーケンスのタイプ、
前記第2ノードが選択したランダムアクセスシーケンスの索引情報、及び
前記ランダムアクセスシーケンスの繰り返して送信する必要がある回数の情報、のうちの少なくとも1つを含む請求項1に記載の方法。
【請求項６】
前記第2ノードが前記ランダムアクセスシーケンスの繰り返して送信する必要がある回数を確定することは、
前記第2ノードは前記第1ノードが送信したダウンリンク基準信号の信号品質を測定し、且つ前記ダウンリンク基準信号の信号品質と予定閾値とを比較し、前記ランダムアクセスシーケンスの繰り返して送信する必要がある回数を確定することを含む請求項5に記載の方法。
【請求項７】
前記予定閾値は1つ以上の値を含み、
各値と1つのランダムアクセスシーケンスの繰り返して送信する必要がある回数とは1対1マッピングの関係があり、
又は
前記予定閾値は標準によりデフォルトに設定されて且つ前記第2ノードに記憶され、又は前記予定閾値は標準によりデフォルトに設定されて且つ前記第1ノードに記憶され、前記第1ノードにより前記第2ノードに送信し、
又は
前記ダウンリンク基準信号は、セクタ専用の基準信号、マスタ同期信号及びサブ同期信号、のうちの少なくとも1つであり、
又は
前記信号品質情報は、基準信号受信パワー、基準信号受信品質、受信信号強度指示、前記第2ノードと前記第1ノードとの間のパスロス値及び前記ダウンリンク基準信号の信号対雑音比、のうちの少なくとも1つである、
請求項6に記載の方法。
【請求項８】
前記第2ノードが前記ランダムアクセスシーケンスの繰り返して送信する必要がある回数を確定することは、
前記第2ノードは前記第1ノードが送信したダウンリンク基準信号の信号品質を測定し、且つ前記ダウンリンク基準信号の信号品質と予定閾値とを比較し、前記ランダムアクセスシーケンスが繰り返して送信する必要があるかどうかを確定することを含み、
好ましいのは、前記第2ノードは前記ランダムアクセスシーケンスが繰り返して送信する必要があることを確定すると、前記ランダムアクセスシーケンスの繰り返して送信する必要がある回数は前記第2ノードにより設定されるか又は標準設定を採用する、
請求項5に記載の方法。
【請求項９】
前記ランダムアクセス応答メッセージにはメッセージヘッダとメッセージ負荷が含まれ、メッセージヘッダには1つ以上のメッセージサブヘッダが含まれ、
前記第2ノードが選択したランダムアクセスシーケンスの索引情報及び/又は前記第2ノードが選択したランダムアクセスシーケンスの繰り返し送信回数情報はメッセージサブヘッダで送信される請求項1又は2に記載の方法。 
【請求項１０】
少なくとも一部のメッセージサブヘッダにおいて、各メッセージサブヘッダと前記メッセージ負荷における1つの時間周波数リソースブロックとは1対1対応し、
前記ランダムアクセス応答情報に、前記第1ノードが前記第2ノードのために配分したアップリンクリソースの位置情報が含まれることは、
前記第2ノードが選択したランダムアクセスシーケンスの繰り返し送信回数情報及び/又は前記第2ノードが選択したランダムアクセスシーケンスの索引情報を含むメッセージサブヘッダの対応する時間周波数リソースブロックが、前記第1ノードが前記第2ノードのために配分したアップリンクリソースの位置情報を含むことを含み、
好ましいのは、前記第2ノードが選択したランダムアクセスシーケンスの索引情報及び/又は前記第2ノードが選択したランダムアクセスシーケンスの繰り返し送信回数情報を含むメッセージサブヘッダに対してRA-RNTIを採用してスクランブリングし、スクランブリング方式は、
【数１】
2016518083.tif 000044
さらに好ましいのは、前記RA-RNTIにおけるM個の情報ビットの選択は標準により設定される、
請求項9に記載の方法。
【請求項１１】
前記ランダムアクセス応答情報に、前記第1ノードが前記第2ノードのために配分したアップリンクリソースの位置情報が含まれることは、
前記第1ノードが前記第2ノードのために配分したアップリンクリソースの位置情報はメッセージ負荷に位置し、且つ前記メッセージ負荷での位置は前記第2ノードが選択したランダムアクセスシーケンスの索引情報及び/又は前記第2ノードが選択したランダムアクセスシーケンスの繰り返し送信回数情報を含むメッセージサブヘッダにより指示されることを含む請求項9に記載の方法。
【請求項１２】
前記第2ノードのランダムアクセス応答情報の、前記第1ノードが送信したランダムアクセス応答メッセージでの位置はダウンリンク制御情報又はシステム情報により前記第2ノードに送信され、
又は
前記第1ノードは、
マクロセル（Macrocell）、マイクロセル（Microcell）、ピコセル（Picocell）、フェムトセル（Femtocell）即ち家庭セル、低パワーノード（LPN）及びリレー（Relay）、のうちの少なくとも1つであり、
前記第2ノードは1つ以上の端末又は端末グループである、
請求項1又は2に記載の方法。
【請求項１３】
前記ランダムアクセス応答メッセージの占有するリソースの位置情報は標準により予め設定され、前記第2ノードに記憶され、又は、
前記ランダムアクセス応答メッセージの占有するリソースの位置情報は前記第1ノードがダウンリンク制御情報又はシステム情報により前記第2ノードに送信する請求項1に記載の方法。
【請求項１４】
前記ダウンリンク制御情報は、Nビットの巡回冗長チェックコード（CRC）を更に含み、
Nが正整数であり、前記CRCはNビットのランダムアクセス無線ネットワーク一時識別子（RA-RNTI）を採用してスクランブリングし、
好ましいのは、前記RA-RNTIは、
前記第2ノードが使用するランダムアクセスチャンネルのリソース情報、
前記第2ノードが前記ランダムアクセスチャンネルで前記第1ノードに送信したランダムアクセス情報、のうちの少なくとも1つで確定され、
前記第2ノードが使用するランダムアクセスチャンネルのリソース情報は、
前記第2ノードが使用するランダムアクセスチャンネルのリソース索引情報、
前記第2ノードが使用するランダムアクセスチャンネルの占有するフレームの索引情報、
前記第2ノードが使用するランダムアクセスチャンネルの占有するサブフレームの索引情報、
前記第2ノードが使用するランダムアクセスチャンネルの占有する周波数領域リソースの索引情報、及び
前記第2ノードが使用するランダムアクセスチャンネルの占有する物理リソースブロックの索引情報、のうちの少なくとも1つを含む、
請求項13に記載の方法。
【請求項１５】
前記ランダムアクセス応答メッセージの占有するリソースの位置情報は、前記ランダムアクセス応答メッセージの占有する時間周波数リソースブロックの索引情報及び/又は占有する時間領域リソース指示情報を含み、
好ましいのは、前記占有する時間領域リソース指示情報は、前記ランダムアクセス応答メッセージの占有するフレーム及び/又はサブフレームの指示情報を含み、
又は
前記ダウンリンク制御情報又はシステム情報は、前記ランダムアクセス応答メッセージのハイブリッド自動再送要求（HARQ）メカニズムイネーブルフラグを更に含み、
前記ランダムアクセス応答メッセージのHARQメカニズムイネーブルフラグの値は前記ランダムアクセス応答メッセージのHARQメカニズムがイネーブルであることを表す場合、前記ランダムアクセス応答メッセージがHARQメカニズムで伝送されるように前記第2ノードに指示し、及び
前記ランダムアクセス応答メッセージのHARQメカニズムイネーブルフラグの値は前記ランダムアクセス応答メッセージのHARQメカニズムがイネーブルでないことを表す場合、前記ランダムアクセス応答メッセージの採用する伝送方式が標準により設定されるように前記第2ノードに指示する、
請求項13に記載の方法。
【請求項１６】
前記第1ノードがダウンリンク制御情報又はシステム情報により前記第2ノードへ前記ランダムアクセス応答メッセージの繰り返して送信する必要がある回数の情報を送信することを更に含み、
好ましいのは、前記ランダムアクセス応答メッセージの繰り返して送信する必要がある回数の情報は標準により設定され又は前記第2ノードが選択したランダムアクセス情報により確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む、
請求項1に記載の方法。
【請求項１７】
前記アップリンクリソースの位置情報は、前記アップリンクリソースの占有する時間周波数リソースブロックの索引情報及び/又は前記アップリンクリソースの占有する時間領域リソース指示情報を含む請求項2又は3に記載の方法。
【請求項１８】
前記アップリンクリソースの位置情報は標準により設定され又は前記第2ノードが選択したランダムアクセス情報により確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含み、
又は
前記アップリンクリソースの占有する時間周波数リソースブロックの索引情報は前記アップリンクリソースのP個の時間周波数リソースブロックでの索引情報を指示することに用いられ、Pが正整数であり、前記Pの値及び時間周波数リソースブロックの大きさ及び位置分布は標準により設定され又は前記第2ノードが選択したランダムアクセス情報により確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含み、
又は
前記アップリンクリソースの位置情報は、前記衝突検出情報の繰り返して送信する必要がある回数の情報を更に含む、
請求項17に記載の方法。
【請求項１９】
前記第1ノードがダウンリンク制御情報又はシステム情報により前記衝突検出応答メッセージの占有するリソース位置情報を前記第2ノードに送信し、前記リソース位置情報が、対応するリソース位置で前記衝突検出応答メッセージを受信するように前記第2ノードに指示することに用いられることを更に含み、
好ましいのは、前記ダウンリンク制御情報又はシステム情報は、前記衝突検出応答メッセージのHARQメカニズムイネーブルフラグを更に含み、
前記ランダムアクセス応答メッセージのHARQメカニズムイネーブルフラグの値はランダムアクセス応答メッセージのHARQメカニズムがイネーブルであることを表す場合、前記衝突検出応答メッセージがHARQメカニズムで伝送されるように前記第2ノードに指示し、
前記ランダムアクセス応答メッセージのHARQメカニズムイネーブルフラグの値はランダムアクセス応答メッセージのHARQメカニズムがイネーブルでないことを表す場合、前記衝突検出応答メッセージの採用する伝送方式が標準により設定されるように前記第2ノードに指示する、
請求項3に記載の方法。
【請求項２０】
前記衝突検出応答メッセージの占有するリソース位置情報には占有する時間周波数リソースブロックの索引情報及び/又は占有する時間領域リソース指示情報が含まれ、
好ましいのは、前記時間領域リソース指示情報はフレーム及び/又はサブフレームの指示情報を含む、
請求項3に記載の方法。
【請求項２１】
前記衝突検出応答メッセージの繰り返して送信する必要がある回数の情報は標準により設定され又は前記第2ノードが選択したランダムアクセス情報により確定され、又は前記ダウンリンク制御情報又はシステム情報で送信され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む請求項3に記載の方法。
【請求項２２】
前記第2ノードが前記衝突検出応答メッセージを受信した後、前記第1ノードへ前記衝突検出応答メッセージの返答メッセージを返信し、前記返答メッセージが、前記第2ノードが成功に前記衝突検出応答メッセージを受信したかどうかを確認することに用いられることを更に含み、
好ましいのは、前記第2ノードが前記衝突検出応答メッセージの返答メッセージを送信するリソース位置は、
前記衝突検出応答メッセージに含まれた前記第1ノードが前記第2ノードのために配分した前記衝突検出応答メッセージの返答メッセージのリソース位置指示情報、
前記第2ノードが選択したランダムアクセス情報、
前記衝突検出応答メッセージの占有するリソース位置情報、のうちの少なくとも1つで確定され、
前記第2ノードが選択したランダムアクセス情報は、前記第2ノードが選択したランダムアクセスシーケンスのタイプ、前記第2ノードが確定したランダムアクセスシーケンスの繰り返して送信する必要がある回数の情報及び/又は前記第2ノードが選択したランダムアクセスシーケンスの索引情報を含む、
請求項3に記載の方法。
【請求項２３】
第1ノード及び第2ノードを含み、
前記第2ノードは、前記第1ノードへランダムアクセスシグナリングを送信するように設定され、
前記第1ノードは、前記第2ノードへランダムアクセス応答メッセージを返信し、その中に前記第2ノードのランダムアクセス応答情報が含まれるように設定されるランダムアクセスシステム。
【請求項２４】
前記ランダムアクセス応答情報には前記第1ノードが前記第2ノードのために配分したアップリンクリソースの位置情報が含まれ、
好ましいのは、前記第2ノードが前記ランダムアクセス応答メッセージを受信した後、前記第1ノードが前記第2ノードのために配分したアップリンクリソースの位置情報に基づいて、対応するアップリンクリソースで衝突検出メッセージを送信する、
請求項23に記載のシステム。
【請求項２５】
前記ランダムアクセスシグナリングは前記第2ノードが選択されたランダムアクセス情報によりプリセット規則に従って生成したものであり、
前記ランダムアクセス情報は、
前記第2ノードが選択したランダムアクセスシーケンスのタイプ、
前記第2ノードが選択したランダムアクセスシーケンスの索引情報、及び
前記ランダムアクセスシーケンスの繰り返して送信する必要がある回数の情報、のうちの少なくとも1つを含み、
好ましいのは、前記第2ノードは、
前記第2ノードが、前記第1ノードが送信したダウンリンク基準信号の信号品質を測定し、且つ前記ダウンリンク基準信号の信号品質と予定閾値とを比較し、前記ランダムアクセスシーケンスの繰り返して送信する必要がある回数を確定するように設定される、という方式により前記ランダムアクセスシーケンスの繰り返して送信する必要がある回数を確定する、
請求項23に記載のシステム。
【国際調査報告】
2016518083.tif 000045
2016518083.tif 000046
2016518083.tif 000047
2016518083.tif 000048